(57)【特許請求の範囲】
【請求項１】
チャンバと、
前記チャンバ内で燃焼させて前記チャンバの圧力を上昇させるために、前記チャンバに可燃性混合物の構成成分を導入させる吸入弁装置と、
前記圧力上昇の影響下で、前記チャンバのエネルギ出力として前記チャンバから流出液を放出させる排出弁装置と、
前記チャンバに加熱した液体を選択的に導入する入力弁装置と、
前記入力弁装置に加熱した液体を供給する供給システムと、を備え、
前記入力弁装置は、前記可燃性混合物の燃焼が起こる前記チャンバの領域に前記加熱した液体を、水蒸気、霧状の水滴、ミストのうちの少なくともひとつとして導入して、前記チャンバ内で燃焼する水素を与える水素分離過程を促進するように構成され、
前記供給システムは、
前記液体を前記チャンバ内の前記領域に導入するときに、水蒸気改質を促進するために所定量の水素含有化合物を前記液体に加える装置を備え、
前記水蒸気改質では、前記チャンバ内で燃焼させる水素を、前記水素含有化合物から分離させることを特徴とする内燃機関。
【請求項２】
前記水素分離過程は、前記加熱した液体の少なくとも一部の解離から構成されることを特徴とする請求項１に記載の内燃機関。
【請求項３】
請求項１または請求項２に記載の内燃機関において、
前記供給システムには、前記水素含有化合物から水素を放出させる触媒が設けられている。
【請求項４】
請求項１から請求項３のうちの何れか一項に記載の内燃機関は、
前記チャンバ内での水蒸気改質を促進するために、前記可燃性混合物が燃料リッチになるように前記吸入弁装置を制御する制御装置を備え、
前記水蒸気改質では、前記チャンバ内で燃焼させる水素を提供するために、前記燃料から水素を分離させる。
【請求項５】
請求項１から請求項４のうちの何れか一項に記載の内燃機関は、
前記チャンバから燃焼生成物を受ける排気システムを備え、
前記供給システムは、前記液体を、前記排気システムを流れる燃焼生成物からの熱に曝して、前記加熱される液体を、前記燃焼生成物からの熱により少なくとも部分的に加熱させる。
【請求項６】
請求項５に記載の内燃機関において、
前記供給システムは、前記液体が流れる管路を備え、
前記管路は、前記燃焼生成物が前記管路の表面を流れるように、前記排気システムを貫いて延びている。
【請求項７】
請求項１から請求項６の何れか一項に記載の内燃機関は、
前記液体を前記チャンバに導入する第２入力弁装置と、
前記第２入力弁装置の制御装置と、を備え、
前記制御装置は、前記チャンバに導入させた前記液体が前記可燃性混合物の少なくとも１つの構成成分を圧縮するように、前記第２入力弁装置を制御する。
【請求項８】
請求項７に記載の内燃機関は、
前記可燃性混合物の前記少なくとも１つの構成成分の圧縮完了後、前記液体が前記チャンバに導入されるように前記入力弁装置を制御する制御装置を備える。
【請求項９】
請求項８に記載の内燃機関において、
前記制御装置は、前記チャンバ内での前記可燃性混合物の燃焼開始に続いて、前記液体が前記チャンバに供給されるように前記入力弁装置を制御する。
【請求項１０】
請求項１から請求項９のうちの何れか一項に記載の内燃機関は、
前記チャンバ内の状態を示す信号を与える少なくとも１つの光学センサを備え、
前記吸入弁装置と前記入力弁装置のうちの少なくとも一方の制御は、前記少なくとも１つの光学センサからの前記信号に少なくとも部分的に基づいて行われる。
【請求項１１】
請求項１０に記載の内燃機関において、
前記少なくとも１つの光学センサは、少なくとも１つの光学温度センサから構成される。
【請求項１２】
請求項１から請求項１１のうちの何れか一項に記載の内燃機関は、
前記チャンバからの前記液体の流出を受ける出力貯蔵装置を備え、
前記入力弁装置は、前記出力貯蔵装置からの前記液体の供給のために、前記出力貯蔵装置に接続されている。
【請求項１３】
請求項１２に記載の内燃機関において、
前記出力貯蔵装置は、前記液体が、液体のない状態に維持される領域を通って前記出力貯蔵装置に流入するように構成されている。
【請求項１４】
請求項１から請求項１３のうちの何れか一項に記載の内燃機関において、
前記チャンバ内には、前記チャンバの中央線の周りで前記液体流出のための流路が画成されており、
前記流路は、前記流路の下流方向に、略等しいままで保持されるまたは減少する断面積を有している。
【発明の詳細な説明】
【技術分野】
【０００１】
本発明は内燃機関に関し、それだけに限られないが、特に自動車を駆動するための内燃機関に関係する。
【背景技術】
【０００２】
往復ピストン火花点火機関は、自動車に動力を供給するために使用される内燃機関の周知の一形態である。往復ピストン火花点火機関は、各シリンダ内で往復するように構成されて、それぞれクランク軸に接続される多数のピストンを備える。シリンダには各々に空気と燃料の流入量を制御する吸入弁装置と、燃焼生成物の排気を制御する排気弁装置と、空気燃料混合物を点火する点火プラグとが設けられている。エンジンへの燃料供給をキャブレターで制御する場合、空気と燃料はシリンダの上流にあるインテークマニホールドで混合されて、吸入弁装置はシリンダへの燃料空気混合物の吸込みを制御する吸込み弁を備える。シリンダへの燃料供給を燃料噴射で行う場合には、吸入弁装置は２つの弁を備える。弁の一方は燃料噴射器であり、もう一方は吸気弁である。燃料噴射器は、燃料を直接シリンダに噴射するようにされていても、吸気弁のすぐ上流にある吸気ダクトに噴射するようにされていてもよい。
【０００３】
典型的には、往復火花点火機関は４サイクルで動作する。シリンダの上または下へ向かうピストンの各動作が４サイクルの１工程をなす。
４サイクルは次の工程からなる。
吸入弁装置が開いて、ピストンがクランクシャフトに向かって移動しながら空気と燃料がエンジンに取り込まれる吸入工程、
吸入口および排気弁装置が閉じて、ピストンがクランクシャフトから遠ざかりながら空気燃料混合物が圧縮される圧縮工程、
圧縮された混合物が点火されて、混合物の燃焼により生じる急激な膨張がピストンをクランクシャフトに向かって押し戻す動力または動き工程、
排気弁装置が開いて、ピストンがクランクシャフトから再び遠ざかりながら排気ガスがシリンダから押し出される排気工程
【０００４】
一部の往復ピストン火花点火機関は２サイクルで動作するが、これは４サイクルの変型である。そのような２サイクルのエンジンは、通常４サイクルエンジンよりも排気量が小さく、乗用車に関しては、二輪車に使用される傾向がある。２サイクルエンジンは、弁の代わりにシリンダ側に沿って配置されるポートを使用する。ピストンがシリンダを上下に移動すると、ピストンのシリンダ内の位置によってポートが塞がれたり塞がれなかったりする。基本的に、２サイクルエンジンでは、第１工程において吸入と圧縮が起こり、第２工程において燃焼と排気が起こる。
【０００５】
往復ピストン圧縮点火内燃機関は、自動車を駆動するために広く用いられる別の形態のエンジンである。往復ピストン圧縮点火機関は、火花点火機関で使用する燃料よりも自己点火温度が高い燃料を使用し、前述した４サイクルの変型バージョンを行う。具体的には、吸入工程においてシリンダに空気を取り込んで、圧縮工程においてその空気を高圧高温になるまで圧縮する。それから燃料を直接シリンダ（またはシリンダにつながる混合室）に噴射して、シリンダ内で燃料を高温圧縮空気と混合しながら燃焼を起こす。かつては、往復ピストン圧縮点火機関は騒音がうるさく速度が遅いと考えられており、自動車業界では、主にトラックやバスなどの他の商用車に使われた。しかし、最近になり、高性能の往復ピストン圧縮点火機関が開発されており、現在往復ピストン圧縮点火機関はサルーンカー（セダン）などの小型乗用車に広く使用されている。
【０００６】
ヴァンケルエンジンは、自動車に動力を供給するのに使用されている別の形態の火花点火機関である。ヴァンケルエンジンは、往復ピストン火花点火内燃機関で採用する４サイクルと同様な４「工程」サイクルを採用する。しかし、ヴァンケルエンジンは、往復ピストンの代わりに、ほぼ楕円形（外トロコイド形）のチャンバで回転する略三角形のロータを偏心軸に取り付けている。ロータとチャンバの壁との間の空間で「４工程」が行われる。
【０００７】
以上の周知の内燃機関に共通の特徴は、燃料空気混合物をチャンバに入力して燃焼させ、燃焼により生じる混合物の急激な膨張が、出力軸に接続されるボディ（ピストンまたはロータ）に直接作用することによって、軸の回転を生じさせること、つまりエンジンの出力が、軸の回転になることである。
【発明の概要】
【課題を解決するための手段】
【０００８】
本発明は、チャンバと、前記チャンバ内の圧力を上昇させるために、可燃性混合物の構成成分を前記チャンバ内で燃焼させるために前記チャンバ内に導入させる吸入弁装置と、前記チャンバのエネルギ出力として、前記圧力上昇の影響下で前記チャンバから流出液を放出する排出弁装置と、加熱した液体を前記チャンバに選択的に導入する入力弁装置と、前記入力弁装置に加熱した液体を供給する供給システムと、を備え、前記入力弁装置は、前記加熱した液体の少なくとも一部が解離して、前記チャンバ内で燃焼する水素を提供するように、前記可燃性混合物の燃焼が起こる前記チャンバの領域に前記加熱した液体を導入させる内燃機関を提供する。
【０００９】
本発明は、チャンバと、前記チャンバ内の圧力を上昇させるために、可燃性混合物の構成成分を前記チャンバ内で燃焼させるために前記チャンバ内に導入させる吸入弁装置と、前記チャンバのエネルギ出力として、前記圧力上昇の影響下で前記チャンバから流出液を放出する排出弁装置と、前記チャンバに液体を導入する入力弁装置と、前記入力弁装置の制御装置と、を備え、前記制御装置は、前記液体の噴霧の少なくとも一部の成分が解離して、前記可燃性混合物中で燃焼する水素を提供されるように、前記チャンバ内での前記可燃性混合物の少なくとも１つの構成成分の圧縮に続いて前記チャンバへの前記液体の供給が行われるように前記入力弁装置を制御する内燃機関を含む。
【００１０】
本発明は、チャンバと、前記チャンバ内の圧力を上昇させるために、可燃性混合物の構成成分を前記チャンバ内で燃焼させるために前記チャンバ内に導入させる吸入弁装置と、前記チャンバからのエネルギ出力として、前記圧力上昇の影響下で前記チャンバから流出液を放出する排出弁装置と、前記チャンバに液体を導入する入力弁装置と、前記可燃性混合物中で燃焼する水素を前記水素含有化合物から分離させるために、前記水素含有化合物の水蒸気改質が起こすように、前記可燃性混合物の燃焼中に前記チャンバ内に十分な水素含有化合物と水分子が存在するように前記チャンバの動作を制御する制御装置と、を備える内燃機関も含む。
【００１１】
本発明は内燃機関を操作する方法も含み、前記方法は、前記チャンバのエネルギ出力として前記チャンバから液体を吐き出させるための圧力上昇をもたらすために、チャンバ内で可燃性混合物を燃焼させるステップと、前記チャンバ内で前記液体の少なくとも一部が解離して前記可燃性混合物中で燃焼する水素を与えるために、前記可燃性混合物の燃焼中に前記可燃性混合物中に前記液体が存在するように、前記チャンバ内での前記可燃性混合物の少なくとも一つの構成成分の圧縮に続いて前記チャンバ内に液体を供給するステップと、を備える。
【００１２】
本発明は内燃機関を操作する方法も含み、前記方法は、前記チャンバのエネルギ出力として前記チャンバから液体を吐き出させるための圧力上昇をもたらすために、チャンバ内で可燃性混合物を燃焼させるステップと、
前記可燃性混合物の燃焼中に加熱した液体の少なくとも一部が解離して、前記可燃性混合物中で燃焼する水素が提供されるように、前記可燃性混合物の燃焼が起こる前記チャンバの領域に加熱した液体を供給するステップと、を備えて構成される。
【００１３】
本発明は、内燃機関を操作する方法も含み、前記方法は、前記チャンバのエネルギ出力として前記チャンバから液体を吐き出させるための圧力上昇をもたらすために、チャンバ内で可燃性混合物を燃焼させるステップと、前記水素含有化合物から前記可燃性混合物中で燃焼する水素を分離させるために、前記可燃性混合物の燃焼中に前記水素含有化合物の少なくとも一部の水蒸気改質を促進するように、所定量の水素含有化合物と水分子とを前記可燃性混合物中に供給するステップと、を備えて構成される。
【００１４】
本発明は、チャンバと、前記チャンバ内で可燃性混合物を燃焼させて、前記チャンバ内の気体体積を膨張させるために、前記チャンバに前記可燃性混合物の構成成分を導入する吸入弁装置と、前記チャンバのエネルギ出力として、前記膨張する気体体積の影響下で前記チャンバから流出液を放出する排出弁装置と、前記チャンバ内の液体ホルダと、を備え、前記液体ホルダは、前記液体ホルダにより保持される液体が、前記膨張する気体体積中に置かれるように、前記可燃性混合物の燃焼が起こる前記チャンバ内の領域に配置されて、前記チャンバ内で燃焼する水素を提供する過程で前記液体噴霧が加熱されるようにしており、前記膨張する気体体積が前記液体に作用できるように、前記液体ホルダを通る前記膨張する気体体積のための少なくとも１つの流路がある内燃機関を含む。
【００１５】
内燃機関を操作する方法であって、前記方法は、前記チャンバのエネルギ出力として前記チャンバから液体を吐き出させるための気体体積の膨張のために、チャンバ内で可燃性混合物を燃焼させるステップと、前記チャンバ内で燃焼させる水素を提供する過程で前記液体が加熱されるようにするために、前記可燃性混合物の燃焼中に前記チャンバ内で燃焼する可燃性混合物中になる位置に置かれる少なくとも１つの液体ホルダに液体を提供するステップと、を備える。
【００１６】
本発明は、チャンバと、その内部で燃焼させるために前記チャンバに可燃性混合物の構成成分を導入する吸入弁装置と、前記チャンバのエネルギ出力として前記チャンバから流出液を放出する排出弁装置と、前記可燃性混合物の燃焼が前記流出液の移動を開始させる前記チャンバの第１圧力上昇を生じさせ、前記可燃性混合物の燃焼中に前記チャンバ内の水素含有化合物から分離した水素の燃焼が、前記流出液に作用する第２圧力上昇を生じさせて、液体に作用する前記第２圧力上昇が前記第１圧力上昇により開始するように、前記チャンバの操作を制御する制御装置と、を備える内燃機関も含む。
【００１７】
本発明は、内燃機関を操作する方法であって、前記方法は、前記チャンバのエネルギ出力として前記チャンバから液体を吐き出させるための第１圧力上昇を提供するために、チャンバ内で可燃性混合物を燃焼させるステップと、前記燃焼している可燃性混合物中に水素含有化合物を提供することによって、前記チャンバ内の前記水素含有化合物から水素を分離させるステップと、前記燃焼している可燃性混合物中で前記水素を燃焼することによって、前記チャンバから吐き出される前記液体に作用する第２圧力上昇を提供するステップと、を備える。
【００１８】
本発明は、チャンバと、その中で燃焼させて前記チャンバの圧力を上昇させるために、前記チャンバに可燃性混合物の構成成分を導入させる吸入弁装置と、前記圧力上昇の影響下で、前記チャンバのエネルギ出力として前記チャンバから流出液を放出させる排出弁装置と、前記チャンバに加熱した液体を選択的に導入する入力弁装置と、前記入力弁装置に加熱した液体を供給する供給システムと、を備え、前記入力弁装置は、前記可燃性混合物
の燃焼が起こる前記チャンバの領域に前記加熱した液体を、水蒸気、霧状の水滴、ミストのうちの少なくともひとつとして導入して、前記チャンバ内で燃焼する水素を与える水素分離過程を促進するように構成され、前記供給システムは、前記液体を前記チャンバ内の前記領域に導入するときに、水蒸気改質を促進するために所定量の水素含有化合物を前記液体に加える装置を備え、前記水蒸気改質では、前記チャンバ内で燃焼させる水素を、前記水素含有化合物から分離させる内燃機関も含む。
【図面の簡単な説明】
【００１９】
本発明をよく理解するために、ここで、単なる例としてあげるそのいくつかの実施形態を図面を参照しながら説明する。
【００２０】
【図１】図１は、自動車両のパワートレインに接続した単気筒型内燃機関の概略図である。
【図２】図２は、図１の内燃機関の出力弁の略断面図である。
【図３】図３は、図１の自動車両のパワートレインのポンプユニットの略図である。
【図４】図４は、図１の内燃機関のシリンダの略断面図である。
【図５】図５は、図４の右側から見たシリンダの部分切開図である。
【図６】図６は、図１から図５のシリンダのエレメントの略図である。
【図７】図７は、作動サイクルの空気および燃料吸入過程中の図１の内燃機関を示す略図である。
【図８】図８は、作動サイクルの圧縮過程中の内燃機関を示す図７に対応する図である。
【図９】図９は、内燃機関の燃焼イベントの開始を示す図７に対応する図である。
【図１０】図１０は、燃焼イベントにより生じる圧力上昇により内燃機関のシリンダから液体が押し出されるところを示す図７に対応する図である。
【図１１】図１１は、蒸気噴射過程を示す図７に対応する図である。
【図１２】図１２は、内燃機関からの燃焼生成物の排気を示す図７に対応する図である。
【図１３】図１３は、燃焼イベント中のシリンダの状態を示す圧力曲線である。
【図１４】図１４は、内燃機関に行えるいくつかの変型を示す図４と同様な図である。
【図１５】図１５は、内燃機関に行える別の変型を示す図１と同様な図である。
【図１６】図１６は、自動車両のパワートレインに接続される多気筒型内燃機関の略図である。
【図１７】図１７は、２つの駆動装置に接続される別の内燃機関の略図であり、始動時のエンジンを示す。
【図１８】図１８は、内燃機関の燃焼室からリザーバまでの燃料の送出と流体の出力を示す図１７に対応する図である。
【図１９】図１９は、燃焼室から別のリザーバまで出力される流体と、そのリザーバから燃焼室への流体の噴射を示す図１７に対応する図である。
【図２０】図２０は、排気過程の第１段階を示す図１７に対応する図である。
【図２１】図２１は、燃焼室への空気の吸入を示す図１７に対応する図である。
【図２２】図２２は、圧縮過程中の内燃機関の動作を示す図１７に対応する図である。
【図２３】図２３は、付勢流体の駆動装置への送出を示す図１７に対応する図である。
【図２４】図２４は、図１７から図２３の内燃機関の変型を示す。
【図２５】図２５は、燃焼過程中の図２４の内燃機関の別の変型を示す。
【図２６】図２６は、排気過程の第１段階中の図２５の内燃機関を示す。
【図２７】図２７は、排気過程の第２段階中の図２５の内燃機関を示す。
【図２８】図２８は、図１から図２７の内燃機関の燃焼室の壁に施すことのできる粗面処理を示す。
【図２９】図２９は、図１から図２４に示す内燃機関で使用できる流体ホルダを示す。
【図３０】図３０は、図１から図２７に示す内燃機関の制御装置の一例の略図である。
【発明を実施するための形態】
【００２１】
図１を参照して、内燃機関１０は、密閉されたシリンダ１２である１つの燃焼室を備える。シリンダは、出力弁装置１６を介して第１リザーバ１４に連結されている。
シリンダ１２は、可燃性混合物の構成成分がシリンダに選択的に導入される吸入口端領域と、出力弁装置１６が置かれる排出口端領域とを有する。
可燃性混合物は、シリンダ内の圧力を上昇させるためにシリンダ１２内で燃焼され、出力弁装置１６は、この圧力上昇の影響下で、シリンダからの液体の流出を、シリンダの主なエネルギ出力として開放するように動作する
【００２２】
第１リザーバ１４は、シリンダ１２の略下方であって、シリンダの排出口端領域に配置されており、付勢された液体を受けて、必要になるまでエネルギ出力を蓄積する。
第１リザーバ１４に蓄積される液体は、要求に応じて自動車のパワートレインの駆動装置２０に供給される。駆動装置２０は、第１リザーバ１４に蓄積されたエネルギを、自動車（図示せず）の４本の車輪２２を回転させるのに使用される駆動力に変換する。
【００２３】
内燃機関１０は、シリンダ１２に付随させた吸気弁装置２４、２６を有しており、吸気弁装置２４、２６は、可燃性混合物の構成成分をシリンダに導入するように作動する。
この実施形態では、吸気弁装置２４、２６は、燃料と空気のシリンダ１２への入力を別々に制御するためのものであり、シリンダに導入される吸気の流れを制御するための常閉型電磁作動式吸気弁２４と、燃料を直接シリンダに噴射する電気作動式燃料噴射器２６とから構成される。
吸気弁２４と燃料噴射器２６の動作は、マイクロプロセッサベースの制御装置２８を含む制御システムで制御される。燃料噴射器２６は、燃料ポンプ３２を介して燃料リザーバ３０に接続されている。
【００２４】
図面を分かりやすくするために、制御装置２８と、制御装置が制御するおよび／または信号を受信する部品との接続は図示していない。
【００２５】
内燃機関１０は、シリンダ１２に付随させた排気弁装置３４も有している。排気弁装置は、常閉型電磁作動式排気弁３４である。排気弁３４の動作は、制御装置２８で制御される。制御装置２８は、排気弁３４に信号を送出して、燃焼生成物（排気ガス）をシリンダ１２から排気システム３６に排気させるために弁を選択的に開放させる。以下に、排気システム３６をより詳細に説明する。
【００２６】
吸気弁装置２４は、吸気システム３８と連通しており、吸気システム３８は、ひとつ以上のエアフィルタと、適切な管路、および／または吸気弁装置を介して吸気をシリンダ１２に供給するひとつ以上の吸気マニホルド、を備えても良い。
必須ではないが、吸気はターボチャージまたはスーパーチャージにより加圧してもよい。スーパーチャージおよびターボチャージは共に、当業者にはよく知られる技術であるので、ここで詳しく説明しない。
【００２７】
内燃機関１０は、常閉型電磁作動式流体導入制御弁４０および常閉型電磁作動式始動導入制御弁４２として、流体導入制御弁装置をさらに含んで構成される。
流体導入制御弁４０、４２は共に、第１リザーバ１４への出力に先立って燃焼過程において付勢されることになる液体のシリンダ１２への導入を制御するために設けられている。流体導入制御弁４０、４２の動作は、制御装置２８で制御される。
【００２８】
制御装置２８に加えて、内燃機関１０の制御システムは、シリンダ１２内の圧力を示す信号を出力するように構成されたセンサ４４を含む。任意の適切なセンサを使用することができる。
シリンダ１２内の温度は、圧力に密接に追従するため、センサは、シリンダ１２内の温度感知部に位置決めされた熱電対などの温度センサ４４でも良い。
【００２９】
内燃機関１０の制御システムは、制御装置２８に第１リザーバ１４内の圧力を示す信号を送るように構成されたセンサ４６をさらに含んで構成される。センサ４６は、温度センサを含む任意の適切なセンサを使用することができる。
内燃機関１０に対する要求が変動するため、第１リザーバ１４内の圧力は、駆動装置２０が必要とする蓄積された液体の増減に応じて変動する。
制御装置２８は、エンジンの動作を駆動装置２０の要求に合わせて第１リザーバ１４への適切な液体の供給を維持するように制御するために、センサ４６からの信号を使用する。
【００３０】
内燃機関１０は、この実施形態では点火プラグ４８である着火装置をさらに備えている。点火プラグ４８は、制御装置２８の制御下で動作し、火花用の電圧を引き出せるコイルを備える適切な電圧供給システム（図示せず）に接続されている。
点火プラグ技術は、当業者にはよく知られており、そのためここでは詳しく説明しない。
【００３１】
この実施形態では、出力弁装置１６は、シリンダ１２の下端を画成するエンジンの壁５０に設けられる自動開閉式圧力解放弁から構成される。
図２に示すように、出力弁装置１６は、シリンダ１２内に開口しているボア５２を含んでいる。ボア５２は、シリンダ１２に隣接してそれに連通する小径部５４と、円錐形弁座５８を画成する壁により小径部５４に接続されていると共にシリンダから離間している大径部５６とを有する。
弁座５８は、ボア５２の小径部５４に向かって軸方向内側に先細になっている。移動自在なボール６０である弁部材が、ボア５２の大径部５６に設けられている。ボール６０は、シリンダ１２内の流体と第１リザーバ１４内の流体との圧力バランスで作動される。
ボア５２の大径部５６には、ボール６０用の開口付き保持具６２が設けられており、保持具と弁座５８との間にボールが閉じ込められるようになっている。
図示する実施形態では、保持具６２はボア５２の大径部５６に固定される環状フレーム６４と、互いに垂直な一対の横材６６とを備える。横材６６は、ボア５２内を直径方向に延びるており、各々の相対した端部がフレーム６４に接続している。
代わりに、保持具は、ボールの径よりも小さい内径を有するカラーにしても良く、または、ボールが弁座５８から離れたときにボアを通る流体の比較的自由な流れを可能にしながら、ボア５２の大径部５６からボールが抜けないようにする任意の他のデバイスとしても良い。
【００３２】
出力弁装置１６には、ボア５２の大径部５６に溝６８の形で設けられた流れ修正システムを任意に設けても良い。
溝６８は、ボール６０が弁座５８から離れて液体がボア５２を通流しているときに、ボール６０がスピンしない（または少なくともボールの非並進運動を抑える）ようにするために、ボア５２の大径部５６を通る液体の流れに作用するように設けられている。
これにより、ボール６０の圧力変化に対する反応が良くなるので、シリンダ１２内の流体と第１リザーバ１４内の流体の圧力バランスの変化に応じて、弁はより速やかに開閉するようになる。
図示する実施形態では、４つの溝６８が等間隔で設けられており、各々の溝は、それぞれボア５２の大径部５６の軸に対して略平行に延びている。
溝６８の数、形状、および配置、および／または他の流れ修正構造は、特定のエンジンに存在すると認められている流れの状態に最適な結果を得られるようにするために、変更するようにしても良い。
図示していないが、ばね等の付勢デバイスを用いて、ボール６０をその閉鎖位置に付勢するようにしても良い。
【００３３】
図１を再び参照して、第１リザーバ１４は、排出管路７０により駆動装置２０に接続されている。駆動装置２０は、第１リザーバ１４からの比較的に高い圧力の液体を受けて、液体に蓄積されているエネルギを、車輪２２に作用させる回転力に変換するポンプユニット７２を備えて構成される。
【００３４】
図３を参照して、ポンプユニット７２の各々は、ポンプ７４と、第１リザーバ１４から比較的に高い圧力の液体を受ける吸入口７６と、使用済みの液体をポンプユニットから吐き出させる排出口７８と、ポンプユニットにより出力される駆動力を接続されている車輪２２に伝達する出力軸８０と、を含んでいる。
ポンプユニット７２は、前進および後進駆動を車輪２２に供給できるようにするために、出力軸８０の回転方向を選択的に切り換えられるように作動する伝動装置８２、および／または他の好適な機構を有している。
圧力センサ８４、８６の各々は、ポンプユニット７２の吸入口側と排出口側の圧力を検知するために設けられている。圧力センサ８４、８６は、ポンプユニット７２の吸入口側と排出口側の圧力を示す信号を制御装置２８に送出する。
制御装置２８は、センサ８４、８６からの信号を利用して、車輪２２がスリップしているか否かを判断する。車輪がスリップしていると判断されると、制御装置２８で制御される電気作動可能な弁８８を作動させて、スリップが起きない供給レベルまで、ポンプユニット７２を流れる液体の流れを減少させることができる。
車輪２２にブレーキをかけるようにポンプユニット７２を通る流れを制御する信号を、弁８８に送出することも可能である。
【００３５】
図１を参照して、ポンプユニット７２からの使用済みの比較的に圧力の低い液体は、管路９２を介して第２リザーバ９０に排出される。
図では、管路９２は１本の配管として示されている。しかし、実際上のところは、各ポンプユニット７２に別々の管路が設けられていても良い。
第１管路系統９４は、第２リザーバ９０から下流側に流体導入制御弁４０まで延びており、弁が開いていると、比較的に圧力の低い液体が、第２リザーバからシリンダ１２に流入できるようになっている。
第２管路系統９６は、第１管路系統９４から始動流体導入制御弁４２まで延びている。代わりに、第２管路系統９６は、第２リザーバから直接延びるようにしても良い。
第２リザーバ９０と始動流体導入制御弁４２との間の第２管路系統９６には、第２リザーバからシリンダ１２まで送出される液体の圧力を上昇させるために、始動ポンプ９７が設けられている。始動ポンプ９７は、制御装置２８から受信した信号に応答して動作する。
【００３６】
第１リザーバ１４には、第２リザーバ９０まで延びると共に圧力逃し弁９９が設けられた管路９８から構成される圧力逃しシステムが設けられている。
圧力逃し弁９９は、過度な圧力を第１リザーバ１４から第２リザーバ９０に管路９８を介して放出できるようにするために、所定の圧力で開くように設定されている。
圧力逃し弁は、センサ４６からの信号に応答して動作する電気作動弁や、周知のばね付勢されている一方向圧力逃し弁を含む適当な弁を採用できる。
また、第２リザーバ９０に放出する代わりに、過度な圧力を大気中に放出できるようにするために、管路９８を省略することもできる。
【００３７】
排気システム３６は、管路１０２により排気弁３４に接続された熱交換器１００と、管路１０６により熱交換器１００に接続されてたコンデンサ１０４と、を備える。
管路１０６には、常閉型電磁作動弁１０８が設けられており、熱交換器１００からコンデンサ１０４への排気ガスの流れを制御できるようになっている。
コンデンサ１０４は、常閉型電磁作動式排出ガス排出弁１１２の動作により大気に開放可能な排気口１１０を有している。
コンデンサ１０４は、シリンダ１２と熱交換器１００の容量よりも大きな容量を有しており、排出ガス排出弁１１２を閉じたままでも、シリンダ１２と熱交換器の内容物の略総てを収容できるようになっている。
【００３８】
コンデンサ１０４は、管路１１６を介してリザーバ１１４に連結されており、コンデンサからの凝縮液が、コンデンサからリザーバに流れるようになっている。
リザーバ１１４の凝縮液は、管路１１８を介して冷水噴霧としてコンデンサ１０４に戻すことができるようになっている。管路１１８には、凝縮液を冷凍ユニット１２２を介してコンデンサ１０４に汲み入れるためのポンプ１２０が設けられている。弁１２４が、管路１１８の排出口端に設けられている。弁１２４は、冷水を霧状の水滴のミストの状態で送出するノズルを有している。
熱交換器１００には、熱交換器内の圧力を示す信号を制御装置２８に送出するために、温度センサなどのセンサ１２８が設けられている。
弁１０８、１１２、１２４、ポンプ１２０、および冷凍ユニット１２２は、制御装置２８の制御下で動作する。
【００３９】
内燃機関１０は、第１リザーバ１４から熱交換器１００まで通じる管路１３０を備えており、リザーバからの液体が、シリンダ１２からの排気ガスで加熱される熱交換機に導かれるようになっている。
液体は、熱交換器１００内のコイル１３２を通流し、コイル１３２内で加熱されて蒸気の供給源となる。図示していないが、排気ガスから液体への熱伝達を高めるために、フィンやその他の熱回収部材が、コイル１３２に設けられていても良い。
管路１３４は、熱交換器からシリンダに蒸気を導くために、熱交換器１００からシリンダ１２の吸入口端領域に設けられた吸入口までつながっている。
この実施形態では常閉型電磁作動弁である蒸気制御弁１３６が、シリンダ１２への蒸気の流れを制御するために、管路１３４の下流端に設けられている。蒸気制御弁１３６は、制御装置２８の制御下で動作する。管路１３４には、一方向弁１３８が設けられている。
【００４０】
ここで、図４および図５を参照して、エンジンシリンダ１２をより詳細に説明する。
シリンダ１２は、シリンダの主側壁１５２を含む円筒形の本体部１５０を備える。本体部１５０は、テーパしており、半球形のシリンダヘッド１５４で閉鎖される小径の端部と、壁５０で閉鎖される大径の端部とを有する。この実施形態では、壁は、全体として円板状を成している。
本体部１５０は、ボルト１５８などの適した固定具によって壁５０とシリンダヘッド１５４とに固定される。
シリンダ１２を流密および耐圧にして密閉室を画成するために、部品同士の間には、適当なガスケットおよび／またはシーラントが設けられている。
【００４１】
本体部１５０は、円錐体１６０を収容する円錐台形状の内部空間を画成している。円錐体１６０は、壁５０に固定または壁５０と一体とされており、本体部１５０の略全長に亘って延びている。
主側壁１５２と円錐体１６０の間には、シリンダ１２から出力される液体の流路が画成されている。流路は、その上流端を、シリンダ１２の吸入口端領域付近に有し、その下流端を、シリンダの排出口端領域に有している。
流路内にひとつ以上の流れ修正構造を任意に設けて、液体の旋回流を生じさせるようにしても良い。
この実施形態では、この流れ修正構造として、螺旋状の壁１６２が設けられている。壁１６２は、側壁１５２または円錐体１６０で支持することが可能であり、この実施形態では円錐体と一体にされている。
壁１６２は、円錐体１６０の周りを円錐体の先端に近い位置から円錐体の底部に近い位置まで連続的な螺旋状になっている。壁１６２の半径方向の範囲は、壁の外周が主側壁１５２の近傍に位置するようになっており、これにより、連続的な螺旋状の通路１６４が流路の長さに沿って画成されている。
【００４２】
螺旋形の通路１６４の下流端は、出力弁装置１６の上流端の近傍に位置しており、流路に沿って押し出される液体が、ボア５２に流れ込むようにされている。ボア５２は、壁５０を貫通しており、その下流端から延びるパイプ１６６を有している。
ボア５２とパイプ１６６は、少なくとも略螺旋状の流路が延長して形成されるように、湾曲した管路となるようにされている。
これは、螺旋の下流に、突然または不必要な方向の変化を受けない流路を形成するためである。流れの方向が変化すると、流出している液体の流速の低下、および／または流体の流れの阻害を生じるからである。そのため、パイプ１６６を略直線状のパイプとすることが好ましい。
【００４３】
図５には、壁５０に設けられた吸込み穴１６８、１７０であって、第１および第２管路系統９４、９６と流体導入制御弁４０、４２を介して、第２リザーバ９０から供給される液体を受け入れるためのものが示されている。
吸込み穴１６８、１７０から延びる各通路（図示せず）は、壁５０を貫通して、主側壁１５２と円錐体１６０との間の空間に開口している。
吸込み穴１６８、１７０から延びる通路は、壁５０内で合流し、共通の排出口端からシリンダに排出するように構成されていてもよい。
【００４４】
図６に示すように、シリンダ１２は、長手方向に延びる中央線または軸１７４を有する。シリンダ１２の排出口端領域に向かう流れの方向で、主側壁１５２および円錐体１６０は共に、中央線１７４に対して外側にテーパした状態である。
主側壁１５２は、角度θで示されるテーパ比を有し、円錐体１６０は角度αで示されるテーパ比を有する。角度θ、αは等しくなるように、または角度αで画成されるテーパ比が角度θで画成されるテーパ比よりも大きくなるように設定される。
言い換えると、主側壁１５２の半径Ｒ１は、シリンダ１２の下流方向に向かうにつれて円錐体１６０の半径Ｒ２の増加率以下の割合で増加する。
これは、側壁１５２と円錐体１６０との間に画成される流路における端から端までの断面積が、その長さ方向で増加しないようにするためである。
この実施形態では、円錐体１６０のテーパ比は側壁１５２のテーパ比より大きい。
そのため、中央線１７４の垂直方向で測定したときの流路の断面積（位置１７６、１７８および１８０で示される）は、流れの方向で減少している。そのため、流路は、その下流端に向かうにつれて狭くなっている。
【００４５】
円筒形の本体部１５０を、流れ方向において、外側にテーパさせているのは、出力弁装置１６に向かう液体に旋回流を起こさせるためである。
シリンダ１２内に円錐体１６０が設けられていない場合には、出力弁装置１６に向かう流路の円形の断面積が相当に増加することになる。
その結果、流出する液体にキャビテーションが生じて、泡または燃焼ガスのポケットを含むようになり、これらが流出する液体と共に第１リザーバ１４に搬送されることがある。これは、ガスが冷却および収縮するにつれて、第１リザーバ１４内に望ましくない圧力損失を生ずることがある。
流路の断面積を増加させない、または実際には流れ方向で減少させることによって、シリンダ１２から第１リザーバ１４に搬送されるガスの量を、少なくとも最小限にできる。
【００４６】
ここで、図７から図１２を参照して、内燃機関１０の作動サイクルを説明する。
図７から図１２では、弁が開いているときは、ポペット弁のように表示される。この表示は、単に表現しやすいことと、読者に認識されやすいことから採用しており、どのような形であれ請求項の範囲を制限すると解釈するべきではない。
また、表示しやすさと読者に認識されやすくするために、螺旋状の壁１６２は、図７から図１２では省略している。
【００４７】
以下の内燃機関１０の動作の説明において、付勢されて出力弁装置１６から出力される液体は蒸留水であり、燃料噴射器２６から供給される燃料はガソリンである。
しかし、蒸留水以外の液体も作動流体として使用でき、ガソリン以外の燃料も使用できる。
【００４８】
図７は、新たな作動サイクルの初期段階における内燃機関１０を示す。サイクルの開始時点では、出力弁装置１６、吸気弁２４、燃料噴射器２６、排気弁３４および流体導入弁４０、４２はすべて閉じている。
新たなサイクルを開始するために、制御装置２８は、吸気弁２４を開いてシリンダ１２内に新鮮な吸気２００を流入させるために信号を送出する。
吸気弁２４が開くタイミングは、シリンダ１２内の圧力により決定される。シリンダ内の圧力は、温度センサ４４からの温度を示す信号を参照して決定される。
新鮮な吸気２００が吸気弁２４からシリンダ１２に入るときには、シリンダ１２内の圧力は大気圧未満であるので、空気はシリンダ内に吸い込まれる。
シリンダ１２に吸い込まれた相対的に冷たい空気は、シリンダとその内容物を冷却する。シリンダ１２内の低圧力と冷却の結果、空気２００はシリンダに取り込まれ続け、シリンダに残っている水２０２の少なくとも一部が蒸発して蒸気２０４になる。
【００４９】
この吸気フェーズ中の決まった時間に、制御装置２８は、燃料噴射器２６を開かせる信号を送出して、一定量のガソリン２０６をシリンダ１２に流入させる。これにより、ガソリン２０６は空気２００と混合されて、ガソリンと空気の可燃性混合物となる。
以下より詳細に論じるように、流入させるガソリンの量は、混合物で理論混合比よりもリッチになり、燃焼室内に過剰の炭化水素が提供されるようにする。
【００５０】
図８は、空気と燃料を取り込んだ後の吸気弁２４および燃料噴射器２６が閉じた状態の内燃機関１０を示す。
吸気弁２４および燃料噴射器２６が閉じると、制御装置２８は、流体導入制御弁４０を開く信号を出す。
駆動装置２０から第２リザーバ９０に戻った水２０８は、流体導入制御弁４０を通って、シリンダ１２に流入する。これにより、シリンダ１２は、空気２００と蒸気２０４と燃料２０６からなる第１流体質量２１０と、残留水２０２と流入してくる水２０８からなる第２流体質量２１２を収容する。
第２流体質量２１２がシリンダ１２を満たすと、第１流体質量２１０は圧縮されて、圧力と温度が上昇する。温度センサ４４からの信号で示される所定の充満点に達すると、制御装置２８は、流体導入制御弁４０を閉じる命令を出力する。
【００５１】
図９を参照して、流体導入制御弁４０が閉じると、シリンダ１２は、第１流体質量２１０中の空気２００／燃料２０６混合物の燃焼準備ができた状態になる。
燃焼は、制御装置２８が、点火プラグ４８にシリンダ１２内へ火花２１４を与えさせる信号を出力して開始される。第１流体質量２１０での燃焼は、圧力の急激な増加と、第１流体質量２１０の膨張を生じる。膨張する第１流体質量２１０は、第２流体質量２１２に直接作用する。
シリンダ１２内の圧力は、第２流体質量２１２を液状のままで保持するのに十分に高いが、第１流体質量２１０の急激な温度上昇は、２つの流体質量の間の界面で第２流体質量２１２の水を蒸発させるのに十分であるので、界面は、水蒸気／蒸気が支配的になる。
この蒸発過程は、従来の内燃機関では通常無駄になっていた熱エネルギを利用してシリンダ１２内の圧力を一層上昇させるのに役立つ。
【００５２】
図１０を参照して、第１流体質量２１０内で起こる燃焼過程によるシリンダ１２内の急激な圧力上昇は、シリンダ１２の内容物と第１リザーバ１４の内容物との圧力バランスを変化させる。ボール６０のシリンダ側により高い圧力が作用してボールを弁座５８から持ち上げ、第１流体質量２１０の急激な膨張によって発生する前進圧力波によって、第２流体質量２１２を構成する水を高圧高速でシリンダから第１リザーバ１４に吐き出させる。矢印２１４で示すように、水は螺旋状の通路１６４に沿って流れながら、シリンダの中央線の周りを螺旋状に進む。
【００５３】
図１１を参照して、点火プラグ４８の動作による燃焼の開始からすぐに、制御装置２８は、蒸気制御弁１３６を開く信号を出力して、制御された量の高圧蒸気２１８を管路１３４からシリンダ１２に流入させる。
水蒸気改質過程は、約７００から１０００℃の温度で実行される。噴射された蒸気は、燃焼ガスを冷やすことになるが、蒸気の入力を制御することによって、約１０００から２０００℃以上の温度を維持することができるので、蒸気が燃料（炭化水素）リッチの可燃性ガスに噴射されると、水蒸気改質が起こって炭化水素からの水素の分離が行われる。
約５８５℃の温度で水素の自己点火が起こるため、蒸気から放出される水素は自然燃焼する。この結果、シリンダ内の圧力と温度が高まるため、シリンダから第１リザーバ１４に水２１６を吐き出す力が増大する。
【００５４】
過熱状態の水／水蒸気からの水素と酸素の分離は、約２７３０℃以上で起こる。水蒸気改質過程で生じる水素の燃焼によりシリンダ１２内に生ずる高温高圧条件を考慮すると（水素は従来の炭化水素燃料よりも高温で、速く、強く燃焼することから、温度は約３５００℃になる）、シリンダへの蒸気２１８の噴射の制御を継続すると、分離による水素と酸素がさらに生成されることになる。
水素および酸素は、シリンダ１２内で燃焼しているガスと混ざって自然に燃焼し、シリンダ１２内の圧力がさらに高くなるので、シリンダ内の略総ての水が高圧で第１リザーバ１４に確実に吐き出されて、第１リザーバ内の高圧が維持される。
【００５５】
シリンダ１２内の圧力状態が図１３に示されている。この図では、実験装置から得られた結果に基づく例示的な圧力−時間曲線が示されており、点線で、従来の内燃機関の出力を表す曲線が示されている。
燃焼は、圧縮工程終了時のシリンダ１２内の圧力であるＰ0で開始される。
燃料リッチの混合物の燃焼の結果、圧力が急上昇してＰ1になる。これに続くＰ2までの圧力上昇は、シリンダ１２内で行われる水蒸気改質過程で放出される水素の燃焼によるものである。これに続くＰ３までの圧力上昇は、噴射された蒸気（場合により水２１２）の分解により生じる水素と酸素の燃焼によるものである。
２つの曲線の下の面積を比較すると、従来の内燃機関に比べて、内燃機関１０から追加のパワー出力が相当得られることが分かる。
【００５６】
再び図１１および図１２を参照して、出力弁装置１６が開いて、付勢された水２１６がシリンダ１２から出て第１リザーバ１４に流入すると、シリンダ１２内の圧力は、第１リザーバ内の圧力（リターンスプリングを用いている場合には、ばね力とリザーバからの圧力とを合わせた圧力）を超えない圧力まで、最終的に低下する。
そして、シリンダ内に水２０２の残りを残したまま（図７および図１２）、ボール６０が戻って弁座５８に着座する。
シリンダ１２内の圧力低下は、温度センサ４４から出力される温度を示す信号に反映される。所定の圧力に対応する温度を示す信号が受信されると、制御装置２８は、排気弁３４を開く信号を出力する（図１２）。これにより、燃焼生成物２２０が、排気弁３４から排出されて、シリンダ１２内の圧力がさらに低下する。
【００５７】
図１を参照して、シリンダ１２から排気弁３４を通って流れる燃焼生成物（排気ガス）は、管路１０２を通って熱交換器１００に流入する。排気ガスは、熱交換器内が不完全真空状態であることと、シリンダ１２内の圧力が相対的に高いことにより、熱交換器１００に吸い込まれる。排気ガスの熱は、コイル１３２内の水を蒸発させて燃焼中に蒸気制御弁１３６を介してシリンダ１２に供給される蒸気を生成するために、取り出される。
【００５８】
センサ１２８からの信号で示される熱交換器１００内の圧力／温度が、所定のレベルに達すると、制御装置２８は、熱交換器とコンデンサ１０４の間の弁１０８を開く信号を出力する。これにより、排気ガスは、熱交換器からコンデンサに流入できる。
弁１０８が開くと、コンデンサ１０４内が不完全真空状態であるので、シリンダ１２および熱交換器１００から、排気ガスがコンデンサに引き込まれる。
弁１０８が開いてから所定の時間が経過すると、排気口弁１１２が開かれて、コンデンサから大気へのガスの排出が可能とされる。
この段階において、シリンダ１２と、熱交換器１００と、コンデンサ１０４の圧力は、大気圧と略同じ圧力まで急激に低下する。
センサ１２８からの圧力を示す信号に基づいて、または開放から所定時間が経過した時点において、制御装置２８は、弁１１２を閉じる。
さらに、制御装置２８は、リザーバ１１４から水を汲み出して冷凍ユニット１２２を通過させるためにポンプ１２０を動作させる信号と、弁１２４を開く信号とを出力する。
冷却水は、弁１２４からコンデンサ１０４内に微細な霧状で排出されて、排気ガスを急速冷却する。排気ガスの急速冷却は、シリンダ１２からコンデンサ１０４への排気ガスの流れを維持する圧力降下を生じるので、シリンダ１２および熱交換器１００に部分的な真空状態が生じる。
排気ガスの冷却は、排気ガスに含まれている水蒸気を凝縮させる、凝縮液は、管路１１６を介してリザーバ１１４に還流する。
【００５９】
所定圧力（センサ１２８からの信号から示される）に達すると、制御装置２８は、排気弁３４および弁１０８を閉じる信号を出力する。
排気弁３４および弁１０８が閉じられると、熱交換器１００は、シリンダ１２およびコンデンサ１０４から隔離される。弁３４、１０８が閉じられると、熱交換器１００内に存在する部分的な真空状態は、加熱コイル１３２を断熱と、次の排気工程の初期段階においてシリンダ１２から排気ガスを引き出すのに利用できる。
【００６０】
前述した内燃機関１０の作動サイクルは、エンジンが駆動しているときに実行される。通常、エンジンが始動した時点では、第２リザーバ９０から液体を汲み上げてシリンダ１２で所望の圧縮比が得られるほどの十分な圧力がエンジンにはない。
従って、始動時点において制御装置２８は、始動流体導入制御弁４２を開く信号と、第２リザーバ９０からシリンダ１２に流体を汲み入れるためにポンプ９７を始動させる信号を出力する。
エンジンが正常に動き出したら、制御装置２８は、始動流体導入制御弁４２およびポンプ９７を作動サイクルから外して、前述したように、流体を第２リザーバ９０から流体導入制御弁４０を介してシリンダ１２に供給させる。
【００６１】
出力弁装置１６が閉じると、シリンダ１２内に残留液が常に残るようにエンジンを構成および／または制御するようにされている。これは、燃焼生成物が第１リザーバ１４に流入するのを防ぐためである。燃焼生成物が第１リザーバ１４内に僅かでも入ると、それらは冷却されて収縮し、その結果として、望ましくないことにリザーバ内の圧力が低下してしまう。
【００６２】
図１４は、シリンダ１２の様々な改良点を示している。これらの改良点は、個別、または組み合わせて実施できる。
第１の改良点は、本体部１５０の側壁を、固定された外壁２５０と回転可能な内壁２５２とからなる二重の壁にしたことである。
外壁２５０は、側壁１５２と同様に、壁５０およびシリンダヘッド１５４に固定されている。
回転可能な内壁２５２は、内壁と外壁の間に配置された円錐ころ軸受２５４で支持されており、内壁が外壁２５０に対して相対回転できるようにされている。
これにより、内壁２５２が、液体の旋回と一緒に回転できるので、旋回に対する抵抗が抑えられると共に、出力弁装置１６に向かう液体の流れに対する抵抗が抑えられる。
内壁２５２は質量を小さくするべきであり、螺旋状の壁１６４などの流れ修正構造がひとつ以上設けられる場合、それらは円錐体１６０（または少なくとも内壁２５２でない）で支持される必要がある。
【００６３】
図１４に図示されている他の改良点は、円錐体１６０が中空であり、端壁５０が略環状であることである。
そのため、円錐体１６０は、シリンダ１２と第１リザーバ１４を区画する壁の一部として機能し、円錐体の内側２５８が、第１リザーバ１４の一部を成している。
この構成は、排気量を減らすこと無しに、内燃機関全体のサイズを小さくする可能性を提供する。
【００６４】
図１４には、吸込み穴１６８（図５を参照）から、側壁２５２と円錐体１６０との間に画成される空間に液体を通す内部通路２６０が示されている。
【００６５】
また、出力弁装置１６は、端壁５０内ではなく、パイプ１６６内に位置している。
【００６６】
シリンダ１２内への蒸気２１８の噴射の制御が重要である。
蒸気の噴射がきちんと制御されずに、シリンダ１２に過剰の蒸気が噴射されると、以下のようなひとつ以上の問題が生ずることが予想できる。つまり、燃料空気混合物が、点火させるには湿気を含みすぎた状態になる、可燃性ガスが急冷される、可燃性ガスの冷却およびチャンバ内の圧力損失により大きなパワーロスが生じる、および／またはチャンバ内の温度および圧力が水蒸気改質および／または解離を支えられないレベルまで下がる。
図１に示した実施形態では、制御装置２８は、温度センサ４４からの温度信号を利用して蒸気の噴射を制御し、シリンダ内の温度が所定レベル未満に下がると弁を閉鎖する。
ここで、シリンダへの蒸気の噴射を制御する代替手段を、図１５を参照しながら説明する。
【００６７】
図１５に図示する改良した内燃機関１０の以下の説明において、図１から図１２に図示する部品およびシステムに類似または同一の部品およびシステムは、同じ参照番号を付し、改めて説明しない。
【００６８】
少なくともその動作におけるいくつかのフェーズの間内燃機関の動作を制御するために、シリンダ１２内の温度の感知に使用する温度センサは、シリンダ内で起こる温度変化に対する応答性が高くなければならない。
図１５では、温度センサは、半透明の窓（図示せず）からシリンダ内の温度を感知する赤外線温度センサ４４である。変わりに、例えば、ＵＳ特許第５６５９１３３号公報（この公報の内容は、参照することにより本書に組み込まれる）に開示されたような、高温用埋め込みフォトダイオードを使用しても良い。
【００６９】
温度感知システムの変更に加えて、図１５に図示する変更した内燃機関１０は、点火プラグ４８のプロテクタ４９と、改良された排気システム１３６とを含む。
図１の２つのコンデンサの代わりに、改良された排気システム１３６は、燃焼工程においてシリンダに噴射される蒸気を提供するために排気から熱を取り出す機能と、排気ガスを冷却して、排気ガスに含まれている水蒸気を凝縮するコンデンサとしての機能を有する熱交換器１０１を備えている。
【００７０】
プロテクタ４９は、好適な材料、即ちエンジンの使用時にシリンダ１２内の温度と圧力に耐えることができる材料から形成されたシールドであり、点火プラグのカブリおよび／または腐食による点火の失敗を生じさせるおそれがあるしぶきから、点火プラグ４８を保護する位置に配置されている。
プロテクタ４９は、シリンダ１２に流入する空気および燃料の流れと混合を阻害せず、かつ燃料空気混合物内での点火の炎の広がりの阻害を最小限にするような形状および／または位置にする必要がある。特定のシリンダ構成に最適な形状と位置は、経験から決定できる。
【００７１】
熱交換器１０１は、管路１０２によってシリンダ１２に接続されており、シリンダと熱交換器との連通は、図１から図１２に図示した内燃機関と同様に排気弁３４で制御する。
排気ガスから熱を取り出すことによって蒸気を生成する加熱コイル１３２は、熱交換器の上流端を貫通して、蒸気制御弁１３６が装着された管路１３４によりシリンダに接続されている。
熱交換器１０１の下流端には、大気に常時開放されていている排気口１１０がある。熱交換器１０１は、管路１１６によってリザーバ１１４に接続されており、リザーバからの凝縮液は熱交換器からリザーバに流れるようになっている。
管路１１８は、リザーバ１１４から凝縮コイル１０３の吸入口端まで延びている。凝縮コイル１０３は、熱交換器１０１の一部であり、加熱コイル１３２の下流に位置している。
戻り管路１１９は、凝縮コイル１０３の排出口端からリザーバ１１４まで延びている。
戻り管路１１９および管路１１８は、凝縮コイル１０３と共に、排気ガスが熱交換器１０１を通過するときに排気ガスから熱を取り出す冷却水回路を形成している。
管路１１８には、リザーバ１１４から出る水を凝縮コイル１０３に達する前に冷却するために、ポンプ１２０およびラジエータおよび／または冷凍ユニット１２２が取り付けられている。
【００７２】
使用にあたり、排気弁３４が開くと、排気ガスは、管路１０２を通って熱交換器１０１の上流端に流れ込む。ここで、排気ガスは加熱コイル１３２を横切る。排気ガスが加熱コイル１３２を横切ると、ガスから熱が取り出されて、加熱コイルを流れる水を蒸気に変換する。
加熱コイル１３２の下流では、排気ガスは、凝縮コイル１０３を流れる冷却水により、さらに熱を失う。
凝縮コイル１０３は、排気ガスを十分に冷却して含まれている水蒸気を凝縮させ、管路１１６を介してリザーバ１１４に戻る凝縮液溜まりを熱交換器１０１の底部に形成できるようにするために十分な長さで形成されている。
図示していないが、凝縮コイル１０３および／または加熱コイル１３２を横切る流路を長くして排気ガスから確実に所望の量の熱を取り去るために、熱交換器１０１にバッフルを設けても良い。
【００７３】
この実施形態では、排気口１１０は大気に常時開放している。シリンダ１２の排気ガスをパージするために、排気弁３４の閉鎖と吸気弁２４の開放を重複させて、流入してくる空気がシリンダを掃気できるようにしている。
吸気弁２４の開放と排気弁３４の閉鎖を重複させるタイミングは、内燃機関から所望のレベルの出力を得るために、経験に基づき決定できる。
【００７４】
図１５は、蒸気制御弁１３６を介してシリンダ１２に噴射される蒸気中に可燃性水素含有化合物を供給するシステム２８０も図示している。
可燃性水素含有化合物は、シリンダ１２内の水蒸気改質を促進するために供給される。
図１から図１２を参照して説明した実施形態では、蒸気制御弁１３６を介してシリンダ内に蒸気が噴射されるときに、シリンダ１２内で水蒸気改質を促進させるために、シリンダ１２に供給される可燃性混合物を燃料リッチにして、過剰の炭化水素が供給されるようにしている。
いくつかの実施形態の場合、燃焼初期にリッチ燃料空気混合物を有するのは望ましくないことがあり、または燃焼の開始後の水蒸気改質のために燃料を増やすのが望ましいことがある。システム２８０は水蒸気改質過程のために燃料の一部または全部を備えておくために使用できる。
【００７５】
システム２８０は、蒸気制御弁１３６の上流にある管路１３４に燃料を噴射する弁２８２から構成される。弁２８２は、管路１３４に噴射されることになる可燃性水素含有化合物を収容するリザーバ２８４に連結されている。
リザーバ２８４は、燃料リザーバ３０でも、別途設けられたリザーバでも良い。
別途設けられたリザーバである場合、燃料リザーバ３０と同じ可燃性水素含有化合物、または異なる化合物を収容していても良い。
このように、例えば、燃料リザーバ３０を、例えばシリンダ内に可燃性混合物を形成するための炭化水素燃料の供給に利用できる一方、リザーバ２８４は、水蒸気改質に適した別の炭化水素またはアルコール、例えばメタノールの供給に利用される。
弁２８２の動作は、センサ４４からの信号に基づいて制御装置２８により、または別のセンサからの信号を利用した個別の制御装置により制御できる。
【００７６】
ある実施形態では、蒸気制御弁１３６が開いているときに噴射される蒸気が、水素含有化合物が混合された蒸気からなる第１の部分と、水素含有化合物が添加されていない第２の部分とから構成されるように、水素含有化合物を蒸気に間欠的に噴射することが好ましい。
【００７７】
システム２８０は、弁２８４の下流に配置される触媒ユニット２８６を任意で含むようにしても良い。
触媒ユニット２８６は、蒸気と混合される可燃性水素含有化合物から水素の放出を促進する触媒物質を備えて構成される。例えば、水素含有化合物がメタノールである場合、クロム酸銅製のパイプを、３６０℃の温度で触媒として使用できる。
触媒を使用する場合、蒸気制御弁１３６を介して噴射される流体は、蒸気と水素含有化合物と水素とからなる流体となる。この混合物は、シリンダに噴射されると、シリンダ１２内で燃焼する水素を多く生成する水蒸気改質を促進する。
【００７８】
改良された内燃機関１０では、赤外線感知温度装置（または他の光学温度感知装置）に加えて、熱電対などの温度センサを含む圧力センサを設けることが好ましい。
また、図１から図１２に図示した内燃機関には、すでに示した圧力センサの代わりに、または追加して、赤外線温度センサ（または他の光学センサ）を取り付けることや、蒸気制御弁１３６の上流に、蒸気に可燃性水素含有化合物を添加するシステム２８０を設けることが好ましい。
【００７９】
図１６は、多気筒型内燃機関３１０を示す。説明の重複を避けるために、内燃機関１０と同一または類似の多気筒型内燃機関３１０の部品は、３００を足して同じ参照番号を付しており、詳しい説明は繰り返さない。
【００８０】
多気筒型内燃機関３１０は、エンジン１０のシリンダ１２と同じように装備されて動作する５つのシリンダ３１２（１）〜３１２（５）を備える。この実施形態では、シリンダ３１２（１）〜３１２（５）は、それぞれ共通の吸気システム３３８および排気システム３３６に接続され、共通の燃料ポンプ３３２を介して共通の燃料リザーバ３３０から送られる燃料噴射器（図示せず）が各々に設けられている。
第２リザーバ３９０と、第２リザーバから図１に示した弁４０、４２に対応する流体導入制御弁（図示せず）に流体を送出する始動ポンプ３９８と、が設けられている。
記載したように共通の部品を利用することは多くのエンジン構成にとって都合が良く、多気筒型内燃機関では、複数の吸気システム、排気システム、液体戻りシステム、および／または燃料ポンプ、およびリザーバを利用できることが好ましい。
【００８１】
第１リザーバ３１４は、各シリンダ３１２の出力弁装置３１６に接続されている。
図示する実施形態では、第１リザーバ３１４は、環状管状構造である。この「ドーナツ」構成の使用は、流動抵抗による圧力損失を減少させると予想される。このように接続された状態を示していないが、シリンダ３１２（１）〜３１２（５）を第１リザーバ３１４に直接接続できるので、流出する液体は、図１、図４および図１３に図示するリザーバに直接流入できる。
【００８２】
第１リザーバ３１４は、前輪駆動装置３２０Ｆと後輪駆動装置３２０Ｒとにつながる管路システム６０２、６０４に、それぞれ接続されている。
駆動装置３２０Ｆ、３２０Ｒは、第１リザーバ３１４から受ける液体に蓄積されたエネルギを駆動力に変換して、各対の車輪３２２Ｆ、３２２Ｒを回転させる。駆動装置３２０Ｆ、３２０Ｒは、各々が使用済み液体を第２リザーバ３９０に戻し、図１の駆動装置２０と基本的に同じように動作する。
【００８３】
この実施形態では、制御装置３２８は、マスターエンジン制御装置６０６の制御下で、個々のシリンダ３１２（１）〜３１２（５）の動作を制御する。マスターエンジン制御装置６０６は、運転手により操作されるペダルおよび／またはボタン（図示せず）からの入力命令を受信すると共に、駆動装置３２０Ｆ、３２０Ｒの動作も制御する。
図示していないが、駆動装置３２０Ｆ、３２０Ｒの制動機能を制御する制御装置を別途設けるようにしても良い。
そのような制御装置は、内燃機関３１０の制御に全体的な責任を負うマスター制御装置６０６に接続されることになる。
【００８４】
使用時において、多気筒型内燃機関３１０の個々のシリンダ３１２（１）〜３１２（５）は、エンジン１０と同様に動作する。個々のシリンダ３１２（１）〜３１２（５）の活動レベルは、第１リザーバ３１４の圧力に基づいて制御する。第１リザーバ３１４の圧力が所定のレベルを上回り、エンジンへの要求が低い場合、動作するシリンダ３１２（１）〜３１２（５）の数を、それに比例して減らすことができる。
【００８５】
ここで、駆動装置に接続される別の内燃機関７１０を、図１７を参照しながら説明する。
以下の説明では、駆動装置７２０が自動車の駆動に使用される場合を例に挙げるが、このような用途に限定されるものではない。
内燃機関７１０および駆動装置７２０は、図１から図１２で図示した内燃機関１０および駆動装置２０に対応または類似した多くの特徴および構成を有する。
重複を避けるために、以下の説明では、図１から図１２に図示したものと同一または類似の構成については、７００を足して同じ参照番号を付して、詳しい説明を繰り返さない。
説明しやすくするために、内燃機関７１０は単気筒型エンジンとして説明する。しかし、内燃機関７１０は、例えば図１６を参照して説明した多気筒型エンジンでも良いことは明らかである。
【００８６】
この実施形態では、内燃機関７１０は圧縮点火機関であり、燃焼工程で付勢される作動流体は蒸留水、または水と腐食防止剤との混合液である。
【００８７】
内燃機関７１０は、エンジンブロック（図示せず）で画成される密閉されたシリンダ７１２として１つの燃焼室を備える。シリンダ７１２は、その長手方向でテーパしており、その下側の広い端部に第１リザーバ７１４が接続されている。シリンダ７１２と第１リザーバ７１４との間の接続部に出力弁装置７１６が設けられている。
この実施形態では、出力弁装置７１６は、電気作動弁を含む他の適したどの形態の弁でも使用できるが、図２に示した弁１６と同様な圧力作動式一方向弁である。
第１リザーバ７１４は、シリンダ７１２から出力される比較的に高い圧力の水を蓄積するために使用される。
第１リザーバ７１４には、リザーバ内が過度の圧力になることを防ぐ圧力逃し弁７１８が設けられている。図示していないが、内燃機関７１０には、圧力逃し弁７１８の代わりに、図１に図示したものと同様な圧力逃しシステムを設けるようにしても良い。
【００８８】
第１リザーバ７１４に蓄積される水は、比較的に高い圧力で駆動装置７２０に供給される。駆動装置７２０は、この実施形態の２つの駆動装置のうちの一次ユニットであり、二次ユニットは、以下において詳しく説明する。
一次駆動装置７２０は、図１および図３に関連して説明した車両（図示せず）の車輪を駆動する各ポンプ（これも図示せず）を備える構成であっても、図１６に関連して説明した個別の前後の駆動装置を備える構成であっても良い。
図示された実施形態では、一次駆動装置７２０は、第１リザーバ７１４から受ける比較的に高い圧力の水に蓄積されるエネルギを車両の車輪の回転に利用される駆動力に変換するポンプである。
第１リザーバ７１４と一次駆動装置７２０との間には、電気作動式制御弁７２１が設けられており、リザーバから駆動装置への水の流れを制御するように作動される。
【００８９】
シリンダ７１２には、吸入弁装置として、吸気弁７２４および燃料噴射器７２６が、排気弁装置として、排気弁７３４が設けられている。
排気弁７３４は、排気システム７３６に出力する。吸気弁７２４は、図１に関連して説明した吸気システム３８などの吸気システム（図示せず）に接続され、燃料噴射器７２６は、例えば、図１に図示する燃料噴射器２６と同様に、燃料ポンプを介して燃料リザーバに接続されている。
【００９０】
制御弁７２１、吸気弁７２４、燃料噴射器７２６、および排気弁７３４の動作は、マイクロプロセッサベースの制御装置７２８を含む制御システムで制御される。
制御装置７２８は、エンジンの動作のあらゆる面も制御するより高いレベルのエンジン管理制御装置でもよく、または特定のエンジン機能の操作専用で、より高いレベルのエンジン管理コントローラに接続されたユニットでも良い。
図面を分かりやすくするために、制御装置７２８と、制御装置により制御される部品および／または制御装置が信号を受信する部品との接続は図示していない。
【００９１】
図１のシリンダ１２と同様に、シリンダ７１２には、第２リザーバ７９０から供給される作動流体（水）のシリンダへの導入を制御する２つの電気作動式流体導入制御弁７４０、７４２が設けられている。
始動流体導入制御弁７４０は、エンジンの始動時において、第２リザーバ７９０から供給される比較的に低い圧力の流体（水）の導入を制御する。
始動流体導入制御弁７４０を通ってシリンダ７１２に導入される水は、始動ポンプ７９７で加圧される。導入制御弁７４２は、内燃機関７１０の通常動作時において、第２リザーバ７９０からの比較的に低い圧力の水の導入を制御する。
【００９２】
シリンダ７１２には、第３リザーバ１００４からの温水のシリンダへの導入を制御する２つの電気作動式温水導入制御弁１０００、１００２が設けられている。
第１温水導入制御弁１０００は、シリンダ内の吸気を圧縮する工程において、シリンダ７１２の下側の大径の端部への温水の導入を制御する。第２温水導入制御弁１００２は、シリンダ７１２の上側の小径の端部への温水の導入を制御する。
４つの電気作動式導入制御弁７４０、７４２、１０００、１００２の各々は、制御装置７２８からの信号で制御される。
【００９３】
シリンダ７１２には、円錐体８６０と、図４および図５に示したシリンダ１２と同様に螺旋状の流路８６４を画成する螺旋状の壁とが設けられている。
【００９４】
第３リザーバ１００４は、シリンダから第１リザーバ７１４への加圧水を補助的に受けるために、シリンダ７１２に接続されている。
第３リザーバ１００４への水の導入は、制御装置７２８からの信号で制御される電気作動弁１００６で制御される。
第３リザーバ１００４は、第３リザーバからの温水を第１温水導入制御弁１０００を介してシリンダ７１２に導く排出管路１００８に接続された第１排出口を有している。
第３リザーバ１００４は、第２温水導入制御弁１００２につながる排出管路１０１０に接続された第２排出口を有している。
排出管路１０１０には、第３リザーバ１００４から出力される温水の圧力を上昇させるためのポンプ１０１２が設けられている。
第３リザーバ１００４とポンプ１０１２との間の排出管路１０１０には、電気作動式排出弁１０１４が任意に設けられている。排出弁１０１４の機能は、ポンプ１０１２によって提供できる。
【００９５】
第３リザーバ１００４は、電気作動式制御弁１０１８を介して二次駆動装置１０１６に接続される第３排出口を有する。電気作動式制御弁１０１８は、制御装置７２８からの信号で作動して、第３リザーバ１００４からの二次駆動装置１０１６への比較的に高い圧力の水の放出を制御する。
図示する実施形態では、二次駆動装置１０１６は、水に蓄積されるエネルギを自動車両の車輪の駆動に利用できる力に変換するポンプユニットである。
図示された個別の駆動装置７２０、１０１６を有する代わりに、第３リザーバ１００４が駆動装置７２０に送出する構成とし、この場合において、エンジンが、第１リザーバ７１４からの供給と、第３リザーバ１００４からの供給とを、切り換えることができる構成を備えているようにしても良い。
さらに別の変形例として、２つのリザーバの平均出力圧にマッチするサイズに設定された羽根セットを有するポンプに出力し、それぞれの出力を連携させて、ひとつの出力軸の駆動に用いるようにしても良い。
【００９６】
排気システム７３６は、管路８０２により排気弁７３４に接続される第１コンデンサ８００と、管路８０６により第１コンデンサ８００に連結される第２コンデンサ８０４と、を備える。
管路８０６には、第１コンデンサ８００から第２コンデンサ８０４への排気ガスの流れを制御できるようにするために、常閉型電磁作動弁８０８が設けられている。
第２コンデンサ８０４は、大気に開放された排気口８１０を有している。第１および第２コンデンサ８００、８０４は、それぞれ管路８１６に連結されている。
コンデンサからの凝縮液は、管路８１６を通ってリザーバ８１４に流入する。
コンデンサ８００からの凝縮液は、制御装置７２８で制御される常閉型電磁作動弁８１７で制御する。管路８１８は、水リザーバ８１４から常閉型電磁作動弁８２４の各々につながっている。
管路８１８には、水リザーバ８１４から取り出された水を加圧するための水ポンプ８２０が設けられている。水ポンプ８２０と弁８２４との間の流路には、ラジエータ８２１、そして任意で冷凍ユニット８２２が設けられている。弁８２４と水ポンプ８２０は、制御装置７２８で制御されて、第１および第２コンデンサ８００、８０４に、微細な冷却水の噴霧を供給するようになっている。
【００９７】
制御装置７２８に加えて、内燃機関７１０の制御システムは、シリンダ７１２、第１リザーバ７１４、第２リザーバ７９０、排気システム７３６の第１コンデンサ８００、および第３リザーバ１００４の圧力を感知する各圧力センサ７４４、７４６、７９１、８２８、１０２０を有している。
各圧力センサは、制御装置７２８で使用するために圧力を示す信号を送出する。それぞれの場合において、圧力センサ７４４、７４６、７９１、８２８、１０２０は、圧力を示す信号を送るのに適していれば、熱電対などの温度センサを含のどの形態のセンサでも良い。
【００９８】
ここで、内燃機関７１０の動作を図１７から図２３を参照しながら説明する。
【００９９】
図１７に、エンジン始動時の内燃機関７１０が示されている。エンジン始動が開始されると、制御装置７２８は、始動流体導入制御弁７４０を開いて、始動ポンプ７９７を始動させる。
始動ポンプ７９７は、第２リザーバ７９０からの比較的に低い圧力の水の圧力を上昇させて、始動流体導入制御弁７４０を介してシリンダ７１２に汲み入れる。
シリンダ７１２は、吸気からなる第１流体質量１０２２と、流入する加圧水と始動時にシリンダ７１２内に残留している水とからなる第２流体質量１０２４を収容する。
第２流体質量１０２４がシリンダ７１２を満たすと、第１流体質量１０２２は圧縮されて、圧力と温度が上昇する。
センサ７４４からの信号が、第１流体質量１０２２の圧力が所定のレベルであることを示すと、制御装置７２８は、始動導入制御弁７４０を閉じる信号を送出すると共に、始動ポンプ７９７を停止させる。
この実施形態では、第１流体質量１０２２は、エンジンで使用される燃料がシリンダ７１２に噴射されたときに自然に点火する圧力まで加圧される。
【０１００】
図１８を参照して、始動導入弁７４０が閉じると、制御装置７２８は、燃料噴射器７２６を開いて、燃料１０２６を第１流体質量１０２２に噴射させる信号を送出して、燃焼イベントを開始させる。
燃料１０２６が高温の圧縮空気と混ざると、燃料が点火して燃焼が起こるので、シリンダ７１２内に急激な圧力上昇が生じる。シリンダ７１２内の圧力は、２つの流体質量１０２２、１０２４の間の界面における局部的な水蒸気形成は別にして、水の状態を変化させずに液状のままで保持させる。
【０１０１】
燃焼イベントの開始に続くシリンダ７１２内の急激な圧力上昇は、出力弁装置７１６に作用する圧力バランスを変化させる。出力弁装置７１６は、開くことによって応答して、急激に膨張する燃焼ガスにより発生する圧力波が、第２流体質量１０２４の一部をシリンダから第１リザーバ７１４に吐き出させるので、比較的に高速度の水流１０２８として付勢された流体の流れを生ずる。
【０１０２】
図１９を参照して、出力弁装置７１６が開いて、第１リザーバ７１４への水の流れ１０２８が始まると、シリンダ７１２内の圧力は急激に減少する。これは制御装置７２８で受信されるセンサ７４４からの圧力を示す信号に反映され、圧力が所定のレベル未満に下がると、制御装置７２８は、シリンダ７１２と第３リザーバ１００４との間の弁１００６を開く信号を送出する。
弁１００６が開くと、水１０３０は、シリンダ７１２から第３リザーバ１００４に流れ込むことができるようになる。これにより、シリンダ７１２内の圧力はさらに低下し、その結果、出力弁装置７１６のボール７６０が急激に後退して、第１リザーバ７１４内の比較的に高い圧力（そして、戻り付勢部材が設けられている場合にはその圧力）の影響下で、その弁座と密封接触する。
シリンダ７１２内の圧力降下は、蒸気が形成し始める点にいずれ到達する。蒸気圧は、第３リザーバ１００４への加熱水の流れを維持し、それによってリザーバ内の圧力が上昇する。
【０１０３】
弁１００６を開く信号が送出されたときに、制御装置７２８は、第２温水導入弁１００２と排出弁１０１４を開く信号を送出すると共に、ポンプ１０１２を起動させる。
その結果、第３リザーバ１００４からの加熱された水は、排出管路１０１０を介して汲み出され、第２温水導入弁１００２を出て、シリンダ７１２に入る。
第２温水導入制御弁１００２は、加熱水を霧状の水滴として出力して、シリンダ１２に加熱された水滴の細かいミストを供給するように構成されている。
シリンダ７１２に依然として残っている燃焼熱が、シリンダに噴霧された加熱された水滴１０３２を蒸発させて、さらに多くの蒸気を生成する。生成した蒸気は、より多くの温水を第３リザーバ１００４に押し流す。
制御装置７２８は、センサ７４４、１０２０から供給される圧力を示す信号を用いて、シリンダ７１２と第３リザーバ１００４内の圧力をそれぞれモニタする。シリンダ７１２内の圧力が、第３リザーバ１００４内の圧力に近いレベルまで下がると、制御装置７２８は。弁１００２、１００６、１０１４を閉じる信号を出力する。
【０１０４】
図２０を参照して、この段階においてシリンダ７１２内の圧力はまだ比較的に高く、排気工程が開始される。弁１００２、１００６が閉じられた状態で、制御装置７２８は、排気弁７３４を開く信号を送出し、排気ガスをシリンダ７１２から第１コンデンサ８００に流入させる。圧力が大気圧に近い始動時を除き、第１コンデンサ８００には部分的な真空状態が存在する。疑問の余地がないように言うと、この段階で、弁８０８、８１７、８２４は閉じているので、第１コンデンサ８００はシリンダ７１２内の圧力を除くすべての外部圧力から隔離されている。シリンダ７１２内の排気ガスは、急激に第１コンデンサ８００に排気されると共に、シリンダ内の圧力が低下し、第１コンデンサ内の圧力が上昇する。
第１コンデンサ８００が、例えば、冷却水回路によって冷却されると、排気ガスに含まれる水蒸気が凝縮されて、コンデンサの底部に液溜まり１０３４を形成する。
さらに、制御装置７２８は、弁８２４を開く信号と、水ポンプ８２０にリザーバ８１４から、冷却用ラジエータ８２１、そして設けられている場合には冷凍ユニット８２２を介して、水のくみ出しを行わせる信号を送出する。
冷却された水は、管路８１８を伝って、第１および第２コンデンサ８００、８０４に冷却水噴霧１０３６として入る。
第１コンデンサ８００内の水噴霧１０３６は、排気ガス中の水蒸気の凝縮を支援する。第２コンデンサ８０４内の冷却水噴霧は、コンデンサを予備冷却する。
【０１０５】
センサ７４４、８２８からの圧力を示す信号で示されるシリンダ７１２と第１コンデンサ８００の圧力が略等しくなると、制御装置７２８は、第１コンデンサ８００と第２コンデンサ８０４との間の弁８０８を開く信号を送出する。これにより、シリンダ７１２は、排気口８１０で大気圧に開放される。その結果、排気ガスは、第１および第２コンデンサ８００、８０４を通って大気中に流れる。
第１および第２コンデンサ８００、８０４内での排気ガスさらなる冷却は、排気ガス中の水蒸気を凝縮させる。
センサ７４４、８２８からの信号で示される第１コンデンサ８００内の圧力が、十分に低いレベルまで下がると、制御装置７２８は、弁８１７を開く信号を送出する。コンデンサ８００、８０４の底部に形成された液溜まり１０３４からの凝縮液は、コンデンサから管路８１６を介してリザーバ８１４に流れる。
【０１０６】
センサ７４４、８２８からの圧力を示す信号で示されるシリンダ７１２および第１コンデンサ８００の圧力が、大気圧または別の所定のレベルに達すると、制御装置７２８は、弁８０８、８１７を閉じる信号を送出する。
コンデンサ８００、８０４内への冷却水噴霧１０３６は継続される。第１コンデンサ８００内への冷却水噴霧は、さらなる冷却と急激な圧力低下を起こし、第１コンデンサおよびシリンダ７１２に部分的な真空状態を生じさせる。
センサ８２８からの信号で示される第１コンデンサ内の圧力が、所定のレベルに到達すると、制御装置７２８は、次のサイクルのために部分的な真空状態を隔離させるために、排気弁７３４および弁８２４を閉じる信号を送出する。
【０１０７】
図２１を参照して、制御装置７２８は、吸気弁７２４を開く信号を送出して、新たな燃焼サイクルを開始させる。
吸気弁７２４が開くと、吸気（矢印１０４２で示す）は、シリンダ７１２内に吸い込まれて真空に置き換わり、第１流体質量１０２２となる。
【０１０８】
図２２を参照して、センサ７４４からの圧力を示す信号が、シリンダ７１２内の圧力が大気圧（または別の所定の圧力）であることを示すと、吸気弁７２４が閉じられると共に、流体導入制御弁７４０を開く信号が送出されて、第２リザーバ７９０からの水がシリンダ７１２に流入できるようになり、第２流体質量１０２４が形成されると共に、第１流体質量１０２２を加圧する。
センサ７４４、７９１からの信号が示す第２リザーバ７９０とシリンダ７１２の圧力が等しくなると、制御装置７２８は、流体導入制御弁７４０を閉じる信号を送出する。
センサ７４４からの圧力を示す信号が、シリンダ７１２内の圧力が、自己点火が起こるのに必要と判断される所定のレベルまで上昇していないことを示している場合、制御装置７２８は、第１温水導入制御弁１０００を開く信号を送出し、第２リザーバ７９０内の水よりもより圧力が高い第３リザーバ１００４からの加圧水を、排出管路１００８からシリンダ７１２の下端に流入させる。
センサ７４４からの圧力を示す信号が、シリンダ７１２内の圧力が自己点火に必要なレベルに達したことを示すと、制御装置７２８は、第１温水導入制御弁１０００を閉じる信号を送出する。
この段階で、第１流体質量１０２２は加圧されて、図１８に図示したように燃料噴射器７２６からの燃料の噴射準備が整った状態になる。
そして、シリンダ７１２は前述した燃焼および排気シーケンスを繰り返して、自動車の運転手により入力された要求に合わせて、第１リザーバ７１４内の所望の圧力を維持する。
【０１０９】
図２３を参照して、第１リザーバ７１４および第３リザーバ１００４の制御弁７２１、１０１８が、それぞれ、付勢された流体を一次および二次駆動装置７２０、１０１６に流れ込ませるように開いている状態が示されている。
２つの駆動装置７２０、１０１６は、第１および第３リザーバ７１４、１００４から出力される水に蓄積されたエネルギを、自動車（図示せず）の車輪を駆動するために利用される力に変換する。
制御弁７２１、１０１８は、制御装置７２８、または運転者による需要入力に応じた信号を送出する他のエンジン制御装置からの信号に応じて、開閉する。
【０１１０】
従来のＣＩおよびＳＩ燃焼機関の動作時に生成される熱の多くは、冷却工程により失われなければならず、一部は排気流の中で失われる。
このような冷却工程は、エンジンの出力軸に接続されていると共に、自身がエンジンの出力パワーの一部を吸収することになるファンの利用を含むことがある。
ある概算では、このように無駄になるエネルギは、エンジンに入力される燃料エネルギの３６％、または生成される熱の約７５％になると見積もられている。
図示した実施形態に組み込まれた工程は、無駄になるエネルギの少なくとも一部を取り入れており、その結果として、そのようなエンジンは、従来の内燃機関よりもエネルギ効率がかなり良くなることが予想される。
燃料消費率の改善とある所定のパワー要求に対して物理的に小型化したエンジンの採用が見込まれることは別として、そのようなことは、エンジンに燃料として供給される水素を生成する車載水素抽出装置を、自動車に備えることを可能にするはずである。
【０１１１】
図２３に図示するように、二次駆動装置１０１６は、水素抽出装置１０５０（破線で示す）に任意に接続されていても良い。
水素抽出装置１０５０は、従来の水素抽出装置のうちの適したものであれば、どのようなものでも良い。
水素抽出装置１０５０は、二次駆動装置１０１６が出力する機械的な力によって駆動するようにしても良い。代わりに、水素抽出装置１０５０は、二次駆動装置のトルク出力によって駆動される発電機から得られる電気で動かすようにしても良い。さらに他の態様として、水素抽出装置の一部を形成する駆動装置に、第３リザーバ１００４から流体を供給するようにしても良い。
【０１１２】
好適な水素抽出装置１０５０は、アルミニウム−ガリウム合金製のペレットを含む一連の燃料電池から構成される。水が吸引されて燃料電池のペレットに接触すると、水分子の分裂により水素が自然に発生し、貯蔵リザーバを設ける必要無しに、エンジンに直接供給できる。アルミニウムは酸素に強く引き寄せられるため、アルミニウム製のペレットは入ってくる水と反応して、徐々に消費され、交換しなければならなくなる。しかし、この過程は有毒な煙を放出せず、ガリウム製のペレットは何度もリサイクルできる。
【０１１３】
内燃機関が、燃料として水素を利用する場合、要求に応じて車内で水素を生成することは、通常液化する必要のある水素用の貯蔵タンクの必要がなくなるので好ましい。
そのような貯蔵は、多くの空間を必要とし、貯蔵された水素は引火性が高いというさらなる欠点がある。
水素貯蔵能力を備えられない場合、エンジンの始動に供されるエタノール、ガソリンまたは同様な他のものを供給する燃料供給システムと共に、ハイブリッド構成で使用できる。
水からの水素の抽出は、酸素を供給することになるが、これをエンジンの吸気に使用して、燃焼室に酸素のみ、または酸素に富む空気が吸入されるようにしても良い。
【０１１４】
水素を燃料として利用する実施形態では、水蒸気改質用の燃料は不要である。
水素が燃焼するときの速度と激しさを考慮すると、水蒸気改質無しで、熱分解を達成するのに十分な熱を発生できる。しかし、そのような場合でも、水蒸気改質を生じることのできる少量の燃料を水素・空気混合物に添加することが好ましい。
図１５に図示するシステム２８０と同一または類似のシステムを使用して、燃焼前または燃焼中に燃料を添加できる。
【０１１５】
ここで、内燃機関７１０の改良を図２４を参照しながら説明する。
説明の重複を避けるために、図１７から図２３と同様の部品は同じ参照番号を付している。
図２４に図示する改良された内燃機関１１１０は、吸気弁７２４の上流に配置された過給機１０６０を吸気システムが有しており、第２流体質量１０２２のレベルがシリンダに必要なレベルに達したことを検知する装置１０６２が、シリンダ７１２に設けられている点が、図１７から図２３に図示した内燃機関７１０と異なっている。
レベル検知装置１０６２は、高温高圧環境で液体のレベルを検知するのに適したあらゆる形態のセンサ装置にすることができ、光学センサであってもよい。
【０１１６】
改良された内燃機関１１１０の動作は、排気工程と吸気工程とが内燃機関７１０と異なっている。内燃機関の動作は変更していないため、排気工程と吸気工程のみを説明する。
【０１１７】
排気工程の開始時点では、弁７３４、８０８、８１７、８２４は閉じている。排気工程は、排気弁７３４が開いて開始される。
制御装置７２８は、弁８２４を開く信号を送出し、ポンプ８２０に揚水を開始させる信号を送出して、コンデンサ８００、８０４内に冷水噴霧１０３６を供給させる。
これも前述したように、凝縮液１０３４の液溜まりが第１コンデンサ８００の底部に形成されて、これに続いて弁８０８、８１７が開かれる。
センサ７４４からの信号で示されるシリンダ７１２内の圧力が所定のレベルに達すると、制御装置７２８は、第２流体質量１０２４を形成させるために、流体導入制御弁７４２を開く信号を送出して、第２リザーバ７９０からの比較的に低い圧力の水をシリンダに流入させる。
流入する水は、排気ガスをシリンダ７１２から排気システム７３６に移動させる。レベル検知装置１０６２からの信号が、第２流体質量１０２４が所定レベルに達したことを示すと、制御装置７２８は、流体導入制御弁７４２に閉じる信号を送出する。
【０１１８】
流体導入制御弁７４２を閉じる信号が送出されると、制御装置７２８は、吸気弁７４２を開き、過給機１０６０の動作を開始させる信号を送出する。
過給機１０６０は、高圧の空気をシリンダ７１２に吹き込む。吸気弁７２４を開く信号を送出するとすぐに、制御装置７２８は、排気弁７３４を閉じる信号を送出する。
吸気弁７２４の開放と排気弁７３４の閉鎖の重複は、シリンダ７１２に吹き込まれた空気が、残留している排気ガスをシリンダから排気システム７３６に吐き出すように設定される。
【０１１９】
排気弁７３４が閉じた後も吸気弁７２４は開いたままであるため、過給機１０６０は、燃料がシリンダに噴射されたときに自己点火を起こすのに十分高い圧力で第１流体質量１０２２を形成するために、多量の高圧空気を送出できる。
【０１２０】
改良された内燃機関１１１０では、第２リザーバ７９０から流入する水と過給機１０６０からの高圧の空気を利用してシリンダ７１２から排気ガスを吐き出すので、冷却の程度が小さくなる。
【０１２１】
過給機１０６０を使用することの利点は、異なる種類の燃料を使用する場合に、第１流体質量１０２２の設定圧を自己点火を起こさせるのに適したレベルに比較的簡単に調整できることである。従って、エンジンの標準の動作設定を容易に調整できるので、エンジンを異なる燃料で運転させることができるようになる。
【０１２２】
ここで、図２４に図示する内燃機関１１１０の変型である内燃機関１２１０を、図２５から図２７を参照しながら説明する。説明の重複を避けるために、図２４と同様の部品は同じ参照番号を付している。
【０１２３】
内燃機関１２１０は、シリンダにおいて、弁１２１２が位置している上端に隣接して狭窄部が設けられていること、そして２つの排気弁１２１４、１２１６と、点火プラグ１２１８である着火装置が設けられていることが、図２４の内燃機関１１１０とは異なる。
【０１２４】
図２５を参照して、弁１２１２は、弁座１２２０と、ボール１２２２である移動可能な弁部材と、を備える。
弁座１２２０は、狭窄部を画成するシリンダ７１２の壁、またはシリンダの壁に取り付けられたひとつ以上の部材により画成される。
ボール１２２２は、ボールに作用する力の変動に対する反応性を向上させるために、比較的に低密度の材料、および／または中空で形成されていることが好ましい。
弁１２１２には、弁座１２２０から離れる方向のボール１２２２の動きを制限するための保持具１２２４が設けられている。
保持具１２２４は、ボールのそばを通ってシリンダの下端に向かう流体の比較的自由な流れを認めると共に、内燃機関１２１０を使用しているときに受ける圧力および温度に耐えることができる一方で、弁座１２２０から離れるボール１２２２の動きを制限することができれば、どのような形態であっても良い。
保持具１２２４は、例えば、図２に関連して説明した保持具のいずれかと同様にしても良い。弁１２１２は、ボールを弁座１２２０に係合させるように付勢する付勢デバイス（図示せず）を有していても良い。付勢デバイスは、例えば、ボール１２２２と保持具１２２４との間に配置された圧縮ばねから構成される。図２５に図示する一方向圧力作動弁の代わりに、弁１２１２は、例えば、制御装置７２８からの信号に応答して開閉する電気作動弁から構成されるようにしても良い。
【０１２５】
弁１２２０は、閉じられると、シリンダを、第１部分または第１サブチャンバ１２２６と、第２部分または第２サブチャンバ１２２８とに分割する。
シリンダ７１２を排気システム７３６の第１コンデンサ８００に接続する二又分岐管路には、２つの排気弁１２１４、１２１６が設置されている。
最上部の排気弁１２１４は、第１サブチャンバ１２２６に連通する管路のアーム１２３０に設けられており、最下部の排気弁１２１６は、第２サブチャンバ１２２８に連通する管路のアーム１２３２に設けられている。
【０１２６】
点火プラグ１２１８は、シリンダ７１２の上端に、燃料噴射器７２６に隣接して設置されており、第１サブチャンバ１２２６に放電できるようになっている。
【０１２７】
使用時において、燃焼イベントの開始の少し前に、第１サブチャンバ１２２６が第２サブチャンバ１２２８から隔離されるように、ボール１２２２は弁座１２２４に着座する。
この段階で、第１サブチャンバ１２２６には、第１流体質量１０２２である加圧空気が満たされており、第２サブチャンバ１２２８には、レベルセンサ１０６２で設定したレベルまで水が充填されている。
燃料噴射器７２６は、制御装置７２８の制御下で燃料を第１サブチャンバ１２２６に噴射して、第１サブチャンバ１２２６内において燃料は、第１流体質量１０２２である空気と混合されて、可燃性混合物となる。
燃料噴射器７２６か開放されてから予め設定された時間が経過すると、制御装置７２８は、燃焼を開始させるために、点火プラグ１２１８に可燃性混合物中に放電させる信号を送出する。
混合物が燃焼すると、第１サブチャンバ１２２６内の圧力が急上昇して、ボール１２２２が弁座１２２０から離れるので、高温の急膨張する燃焼ガス１２３６が、第２サブチャンバ１２２８に急激に流れ、第２流体質量１０２４を形成する水に作用する圧力波となって、前述したように付勢された水の流れとしてのエンジン出力を供給する。
【０１２８】
図２６を参照して、制御装置７２８が排気弁１２１４、１２１６を開く信号を送出して排気工程が開始されると、燃焼生成物は、第２流体質量１０２４を形成する第２リザーバからの流入水により、第１および第２サブチャンバ１２２６、１２２８から吐き出される。
第２サブチャンバ１２２８からの燃焼生成物は、管路のアーム１２３２を通って、排気システム７３６の第１コンデンサ８００に流入する。
流入する水によるシリンダ７１２内の水位の上昇（および付勢デバイスが設けられている場合には付勢力）は、ボール１２２２を戻して弁座１２２４と係合させるので、第１サブチャンバ１２２６は再び第２サブチャンバ１２２８から隔離される。
【０１２９】
図２７を参照して、レベルセンサ１０６２からの信号によって示される第２流体質量１０２４を形成する流入水のレベルが所定のレベルに達すると、制御装置７２８は、最下部の排気弁１２１６を閉じる信号を送出する。
最上部の排気弁１２１４が開いたままであるため、第１サブチャンバ１２２６からの燃焼生成物は、管路のアーム１２３０を通って排気システム７３６の第１コンデンサ８００に流入できるままである。
最下部の排気弁１２１４の閉鎖と同時、またはその後間もなくして、制御装置７２８は、吸気弁７２４を開く信号を送出して、過給機１０６０からの圧縮空気を第１サブチャンバ１２２６に流入させる。流入する空気は、残っている燃焼生成物を、第１サブチャンバ１２２６から最上部の排気弁１２１４を通過させて排気システムに吐き出させる。
吸気弁７２４の開放から間もなくして、制御装置７２８は、最上部の排気弁１２１４を閉じる信号を送出し、第１サブチャンバ１２２６に第１流体質量１０２２を形成する空気を充填する工程は、センサ７４４からの信号で示される所要圧力で終了する。
この段階で、シリンダ７１２は燃料噴射器７２６を介して燃料を受ける準備が整う。
【０１３０】
第１サブチャンバ１２２６を第２サブチャンバ１２２８から隔離させる弁１２１２が存在するので、点火プラグ１２１８は、比較的乾燥した環境で動作でき、これにより、点火できなくなる可能性を低くできる。
さらに、着火装置が設けられているため、内燃機関１２１０において過給が必要とされないかもしれないが、過給機１０６０を使用することによって、エンジンの性能を向上させることができる。
１つの点火プラグ１２１８だけを図示しているが、燃焼工程を改善するために追加の点火プラグを設けても良い。
【０１３１】
図示する実施形態の内燃機関は、燃焼室の壁に対してシールする必要のあるピストンやロータを持たないため、燃焼室の壁が滑らかな表面である必要はない。
よって、急激に移動する流体とこれらの表面との間での抵抗を減じるように表面を粗くしても良い。粗面処理は、適したあらゆる形態をとることができる。
考えられることの一つが、燃焼室の壁にサメ皮を模した畝模様のある表面を設けることである。
図２８に示すように、サメ皮を模した表面１３００は、隆起１３０４が形成された歯状小板１３０２を複数備えて構成される。図示する実施形態では、隆起１３０４は、大まかに整列しており、表面では、流体の大まかな流れ方向に延びるように隆起が形成されている。
図１から図２７に図示する実施形態の場合、隆起１３０４は、螺旋状の通路１６４、８６４により覚せいされる螺旋状の流路に沿うように設けられている。さらに、螺旋形の通路１６４、８６４を画成する部分に粗面処理を施すようにしても良い。
あるいは、隣接する小板１３０２の隆起が別々の方向に延びるように、隆起１３０４を設けても良い。これは、境界層を断ち切り、シリンダ内における流体の流れを改善するのに有効である。
【０１３２】
図２９は、図１から図２４に図示するような構造を有する内燃機関で使用できる流体ホルダ１４００を図示している。
図４を参照して、流体ホルダ１４００は、本体部１５０と半球状のシリンダヘッド１５４との間に挟み込まれるようにされている。
流体ホルダ１４００は、半球状のシリンダヘッド１５４を本体部１５０に固定するために使用されるボルト１５８などのデバイスを受けるために、周方向で等間隔に貫通穴１４０４が設けられた環状支持部材１４０２で構成される。
環状支持部材１４０２は、流体保持部１４０６を支持している。流体保持部１４０６は、支持部材１４１０で互いに接続された複数の流体保持部材１４０８を備える。
図示する実施形態では、支持部材１４１０は、メッシュ構造であるが、好適な構成の支持部材であればどのようなものでも使用可能である。流体保持部材１４０８は、流体を保持するために浅い皿またはカップ形状の構造である。
【０１３３】
使用時において、シリンダ１２、７１２に噴射された流体は、流体保持部材１４０８に保持され、流体保持部材１４０８は、燃焼前に可燃性混合物が位置することになるシリンダの吸入口端領域に配置されるように、支持部材１４０２によって支持されている。
可燃性混合物の燃焼が開始すると、流体保持部材１４０８が保持する流体の小さなポケットが燃焼ガス中に配置されて、燃焼熱に完全に暴露される。流体保持部１４０６の構造は燃焼熱をほとんど吸収しないようにして、容器は保持される流体の量が著しい冷却効果を生じないようなサイズにする。あるいは、流体の浅いポケットが燃焼熱に完全に暴露されて、水蒸気改質および／または解離のための蒸気を容易に形成する。
【０１３４】
流体ホルダは、種々の形態をとることができ、図２９に図示する構造に限定されない。
例えば、流体保持部を、略平らにする、および／または多数の比較的小さい流体保持ポケットを画成するようにしても良い。略平らな表面には、例えばマイクロピッチングにより、流体保持機構を設けるようにしても良い。
【０１３５】
図示された実施形態では、流体保持部材１４０８は共通の平面上にある。
代わりに、別々の平面上に流体保持部材を支持させるように支持部材を構成しても良い。これにより、シリンダ内での可燃性混合物と燃焼ガスの比較的に自由な流れを可能にしつつ、燃焼ゾーンに設けられる流体保持部材の密度を高めることができるようになる。
あるいは、いくつかの実施形態において、流体保持面を別々の平面上に設けるために、複数の流体ホルダ１４００を使用するようにしても良い。
【０１３６】
流体ホルダの配置は、理想的には、流体ホルダが吸収する熱量と、流れおよび／または吸気工程における可燃性混合物の混合、および／または、排気工程における燃焼生成物の排気、および／または、可燃性混合物の燃焼中における燃焼ガスの膨張に対する障害を最小にしつつ、流体保持面積を最大にする必要がある。
【０１３７】
燃焼熱に暴露される液体の浅いポケットを保持して、水蒸気改質および／または解離のための蒸気を形成するために、燃焼ゾーンに隣接するシリンダの内壁を粗面処理して構成することによって、さらなる利点を得ることができる。
【０１３８】
シリンダ内に流体ホルダを設けることで、少量の流体を、燃焼ゾーンの周りに浅いポケットまたは膜として分布させて、燃焼熱に十分に曝すことができるようになる。
流体の体積を比較的に小さくし、水蒸気改質および／または解離が起こる可能性を最大にするために燃焼ゾーン内で広く分散させる必要がある。
流体は、圧縮および／または燃焼過程の前にシリンダに入力できる。流体は、例えば、実施形態で図示された方法のいずれかで、予備加熱されることが好ましい。
しかし、圧縮過程の前に流体の入力が行われる場合には、空気／空気燃料混合物の圧縮の際の圧縮熱により、流体を加熱できる。
【０１３９】
いくつかの実施形態では、流体ホルダ１４００で保持される流体は、図１に示した蒸気制御弁１３６などの弁によって入力される。
あるいは、流体ホルダ１４００が作動流体中に位置する、および／または燃焼開始前に流体ホルダが少なくとも部分的に沈められるように内燃機関を動作させるようにしても良い。
燃焼が起こると、水蒸気改質および／または解離のために液体は流体ホルダにより保持される。この場合、水素を得ることができる水素含有化合物を液体中に含ませるようにしても良く、例えばエタノールなどの不凍液でも良い。
液体中の不凍液の含有量は、周知の試験装置を使用して容易に監視でき、所望の濃度を維持するために、液体中に不凍液を補給できるリザーバを設けても良い。
【０１４０】
先の説明においては、制御装置について詳しく説明されていない。これは、適当な制御装置および必要な関連する付属の装置は、当業者に十分周知のコンポーネントであるからである。
図３０を参照して、適当な制御装置７２８は、ひとつ以上のプロセッサ１６００と、信号処理コンポーネント１６０２と、を備えても良い。信号処理装置は、例えば、信号の増幅、アナログ信号のデジタルへの変換、デジタル信号のアナログへの変換を行って、制御装置がセンサからの信号を受信および使用して、制御装置により制御される弁および他のコンポーネントに有効な信号を出力する。
制御装置７２８は、内燃機関の動作中に生成されるデータを記憶するひとつ以上のランダムアクセスメモリ（ＲＡＭ）１６０４と、プロセッサで使用できる入力を供給するために、ひとつ以上のセンサからの入力信号をサンプリングする電気回路１６０６と、をさらに備えても良い。
制御装置７２８は、永久記憶装置１６０６として、ひとつ以上の制御ソフトウェア部１６０８が永久的に記憶されている読出専用メモリ（ＲＯＭ）のような、ひとつ以上のデータ記憶コンポーネントを、さらに備えても良い。もちろん、いくつかの用途では、永久記憶装置は必要とされない。
例えば、制御装置は、制御アルゴリズムが記憶すると共に制御装置の起動時に制御装置内のＲＡＭにそれをアップロードするマスターコンピュータに接続されていても良い。
他の態様として、制御装置は、マスター制御装置またはコンピュータにスレーブされるようにしても良い。さらに他の態様として、制御装置が、配線で接続された制御回路を備えるようにしても良い。
【０１４１】
図示された態様の内燃機関には、エンジンシリンダ内で同軸に配置される円錐体が設けられている。円錐体は、円錐体とシリンダ壁との間に画成される空間の断面積が、シリンダの下流方向で増減しないように設けられている。
円錐体により支持された螺旋の壁状の流れ修正構造は、エンジンの液体出力が排出弁装置に向かって螺旋になるように、円錐体およびシリンダ壁と協同して、螺旋状の通路を画成する。
誘導された螺旋状の動きは、排出弁装置に向かう水の流れを向上させ、これにより、抵抗による損失が低減し、流路の断面積の制御が、流出する液体中に不要なガスの混入を起こすことになる液体のキャビテーションの問題を少なくとも低減する。
図２８を参照して説明したように、部品の表面に粗面処理を施すことが、抵抗損失をさらに低減させることができる。
これらの利点の少なくともいくつかは、流路の下流方向で断面積が増減しない流路を提供する他の構造と組み合わせて得られるものである。
さらに、シリンダ軸に対する流れの回転を与える流れ修正構造の他の形態も可能である。例えば、図示した実施形態において、流れに回転を与える方向に向いた羽根を、シリンダ壁と円錐体との間に設けても良い。羽根は、シリンダ壁と円錐体の何れか一方に支持させることができる。さらに他の態様として、シリンダ壁と円錐体の少なくとも一方に螺旋状のリブを設けることである。
【０１４２】
実施形態では、エンジン内で水素を生成させて、従来の内燃機関に比べて改善されたパワー出力を得るための実用的な手段が図示されている。
作動体を、金属ピストンではなく水体にすると、燃焼時にシリンダ内に生じる比較的に高温かつ高圧に曝されたときに熱分解により解離できる水の供給源となる。
しかしながら、シリンダ内で可燃性水素含有化合物を燃焼させただけで水を解離させようとしても、解離が起こらない、または、少なくとも少量の水素しか生成しないごく限られた解離しか起こらないと考えられている。
これは、限られた量の水だけが解離に十分になるまで過熱されるからであり、３５００℃の温度に達したとしても、炭化水素燃料の燃焼による比較的遅い燃焼が、熱の散逸させてしまう。
【０１４３】
シリンダに水／蒸気の噴霧を導入するとシリンダ内の温度が下がると予想されるが、燃焼熱に曝される水の表面積がかなり増えることによる利点があると考えられる。
また、燃焼のためにリッチな燃料と空気との混合物を与えることによって、シリンダ内に過剰の可燃性水素含有化合物が得られるようになり、このことが、水解離に必要な温度よりも相当に低い温度で起こすことができる水蒸気改質を可能にする。これがシリンダ内で燃焼する燃焼ガスに水素を供給することになる。
水素の燃焼による比較的速く激しい熱は、熱が散逸する時間を短縮でき、燃焼ガスに噴霧される水蒸気／蒸気の量を制御するのであれば、燃焼ガスの過度な冷却を防止し、水の解離を達成できる。
このことは、燃焼ガスに、それ自身が燃焼するかなりの量の水素と酸素を提供し、エンジンから出力される追加パワーを生成する。図１３の曲線の比較から、利用できるパワーの３倍の増加を達成できることが示唆されている。
【０１４４】
水蒸気改質および／または水解離により生成される水素の燃焼から得られるエネルギ放出により、流出する液体に与えられる追加の運動力は、すでに運動量を有している液体に作用する点で有益である。
すなわち、水素燃焼から生成されるエネルギは、静止状態の水の慣性を克服するのに浪費されずに、既に運動している液体に追加の運動力を提供するので、エンジンからの液体の流出は。１回のエネルギ入力というより、エネルギの繰り返される爆発に曝される可能性がある。
【０１４５】
図示された実施形態におけるパワー出力は、付勢流体であり、エンジンは燃焼によって生成されるエネルギを出力するための出力軸に連結されたピストンやロータを備えていない。付勢流体は、燃焼過程で発生する圧力を受けるチャンバから押し出されるときに、それに与えられるエネルギを圧力と速度（およびある程度の熱）として運ぶ。圧力リザーバに蓄積されるとき、付勢流体は与えられたエネルギを、リザーバに収容されるガスを加圧して蓄積する。
貯蔵リザーバから放出されるとき、圧力として蓄積されたエネルギの一部は、例えば、インペラ、ピストンまたはポンプを駆動することによって運動エネルギに変換される。
【０１４６】
図示された実施形態のシリンダからのエネルギ出力は、膨張する燃焼ガスで吐き出される流出液の形で伝達されるので、従来の往復ピストン内燃機関に見られる往復動および／または回転する機械的に接続されたパワー出力コンポーネント（例えばクランク軸に接続されるピストン）は必要としない。このことは、エンジン構成を必要とされたパワー出力に適合させるときに、エンジン設計者の自由度を大いに高めることになる。
例えば、従来の内燃機関に見られる高速往復および回転するパワー伝達部品で直面するエンジンバランスの問題は、図示した実施形態の内燃機関では影響しないため、奇数個（例えば、３個、５個または７個）のシリンダを備える内燃機関を形成しても、偶数個を有するものよりも問題が生じないことが予想される。
【０１４７】
本質的ではないが、エンジンの出力を加圧流体として出力貯蔵装置に容易に蓄積できるので、以下に説明する利点が得られる。単に言及しやすくするために、出力貯蔵装置をリザーバという。
出力貯蔵装置は、適したあらゆる形態とすることができ、単なる例として挙げている図示されたリザーバに限定されるものではない。
【０１４８】
図示されたリザーバでは、エンジンシリンダから出力される液体は、リザーバのガス含有領域を通過して、内燃室から出力されて蓄積された液体を収容する液体貯蔵領域に到達する。
蓄積された液体はガスを加圧する。つまり、ガスの圧力は、蓄積される液体の量に応じて変化する。液体が蓄積されないように維持されている領域を介して液体をチャンバに導入すると、フローインピーダンス（液体の流れの進入に対する抵抗）が低下する。これにより、エネルギ損失が減少して、内燃機関の効率が向上する。蓄積された液体を出力するためにリザーバが開かれると、液体はガスに蓄積された圧力によってリザーバから吐き出される。
【０１４９】
図示された実施形態では、流出する液体を受けるリザーバが、液体が流れ出すシリンダの下に配置され、流体の吸入口は、リザーバの頂部にある。従って、重力によりガスは必ずリザーバの頂部にあるため、液体はリザーバに入ってガスを通り抜ける。
吸入口がリザーバの頂部にあることは必須ではない。吸入口は、蓄積される液体の予定されている最高の高さよりも上であれば、リザーバの頂部より下のどの位置に設けても良い。また、リザーバの少なくとも蓄積される液体が占有する可能性のある領域に入り、その排出口端を、液体の予定されている最高の高さよりも上に位置させた導管の形態としても良い。
【０１５０】
通常の動作条件で、液体が蓄積された液体ではなく確実にガスを通ってリザーバに入るようにするために、リザーバに出力するチャンバまたは複数のチャンバの動作は、リザーバに蓄積される液体の量が設定されたレベルまたは高さを絶対に超えないように制御される。
図示された実施形態では、制御装置が、リザーバの圧力の検知に使用されるセンサからの信号を利用するようにしても良い。代わりに、または追加として、蓄積される液体の量を検知するための専用センサを利用するようにしても良い。例えば、液体のレベルが所定のレベルに達したときに完成する回路の適当なスイッチ形成部を利用しても良い。あるいは、光学センサまたはフロートスイッチを利用しても良い。さらに他の態様として、二つのセンサを組み合わせて使用するようにしても良い。センサのうちのひとつは、蓄積される流体が途切れることなく位置すると予想される位置に配置されて、基準信号を与える。２つのセンサのうち２つ目は、リザーバにそれ以上入らない最高レベルとして設定されたレベルに配置する。使用に際して、蓄積された液体のレベルが最高レベル未満である間は、２つ目のセンサからの信号は基準信号とは異なる。蓄積された液体レベルが、最高レベルに達するとすぐに信号が変化して、基準信号と略同じになる。
【０１５１】
エンジンが水平に対してある角度をもって動作している場合に、液体入力領域を実質的に液体のない状態で確保しておくために、自動車に取り付けられるエンジンのように使用時に移動することが予定されたエンジンのリザーバにバッフル等を設けることが好ましい。応用例として、バッフルなどを可動にして、エンジンの異なる姿勢に適合できるようにすることが好ましい。
【０１５２】
ひとつまたはひとつ以上のシリンダから流出する液体を受けるひとつまたはひとつ以上のリザーバを、液体収容リザーバと、管路を介して液体収容リザーバ接続されて、液体収容リザーバ内に収容されている液体のレベルの変化に応じて、収容しているガスが膨張収縮するガス収容リザーバと、から構成しても良い。
ガス収容リザーバへの流体の充満を防止するために、液体が液体収容リザーバから上方に流れなければガス収容リザーバに流入できないように、２つのリザーバを別々の高さに配置できる。
このようにすると、液体収容リザーバの適切に維持されたガス収容領域を通って、液体が出力貯蔵装置に入るようにすることができるが、液体は、ガス収容リザーバを介して出力貯蔵装置に入るようにすることが好ましい。
【０１５３】
前述したように、作動流体を受けるリザーバが、ガスのポケットを含むことがある。ガスは、酸素含有量を低くしてリザーバ内での爆発のリスクを低減できる。ガスは、例えば、市販の酸素フリー窒素、または酸素が減少した排気ガスにすることができる。
【０１５４】
エンジンのエネルギ出力はリザーバに蓄積でき、要求に応じて利用できるので、内燃機関にフライホイールを設ける必要がない。これにより、大幅な軽量化が可能になる。
【０１５５】
エンジンの出力エネルギは、ひとつまたは複数の貯蔵リザーバに加圧流体として蓄積できるので、燃焼室を比較的低速、例えば毎分２０サイクルでサイクル運動するようにエンジンを動作させることが可能である。
従来の往復ピストン内燃機関と比較すると、シリンダの各サイクルにおいて起こる様々な過程の制御を改善できる。
さらに、燃焼室に流出入する流体の流れの制御に使用される弁は、制御装置の制御下で互いに独立して動作できるため、従来の往復ピストン燃焼機関の構造で必要とされるのと同じ程度まで、イベントのタイミングに関して妥協する必要がない。
多気筒型エンジンの場合、各燃焼室の動作は従来のエンジンと同じ程度まで同期させる必要はないので、エンジンが柔軟になり、制御しやすくなる。
【０１５６】
内燃機関のエネルギ出力はひとつまたはひとつ以上のリザーバに蓄積されるため、パワーは、実質的に要求に応じて即座に利用できる。従って、停止状態からのスタートによる急加速は、エネルギを蓄積しているリザーバを駆動装置に接続している弁装置を開くだけで可能である。この加速を達成するために使用されたエネルギは、車両が動いている間に元に戻される。
【０１５７】
パワー出力をリザーバに蓄積することによる他の利点は、リザーバ内の圧力が所定のレベルに到達し、エンジンに著しい負荷がなくなると（例えば、車両が渋滞で停止している場合）、エンジンをサイクル運動させる必要がなく、圧力が所定のレベル、または予め決められた低いレベル未満に落ちるまで、事実上、エンジンを切ることができるという点である。
多気筒型エンジンにおいて同様の状況の場合、第１リザーバの流体の圧力を回復する必要が生じるまで、シリンダの一部または全部を使用しないでおくことができる。
車両が運転中であって、車両の運動量が入力駆動の要求を低減させるような場合についても、同様である。
要求に応じて利用できるパワーを有するときにこのようにして選択的にエンジンを切ることができるようにすると、特に、主に都市環境で典型的に見られる停止／始動の頻繁な運転に使われる車両の場合、大幅な燃料節約を得る機会が与えられる。
【０１５８】
エンジンシリンダの各作動サイクルは、比較的冷たい圧力の低い液体をシリンダに導入させて、燃焼熱をより多く利用して有益な作業出力を生み出すため、従来の内燃機関に比べてエンジンを冷却する必要がかなり少なくなる。
これにより、設計者がエンジンブロックを製造する材料を選択するときの自由度が高くなることが予想される。結果として生じる熱慣性の損失が問題となりにくいことから、より薄い壁を使用できる点も設計の自由度を高めてくれると予想される。
これにより、従来のエンジンよりもエンジンをより軽量にする可能性が与えられる。
また、燃焼室を画成する構造を、プラスチック成形プロセスを利用して部品を製造する機会を生ずることになる産業用樹脂から形成する可能性が生じるので、このことは、コスト削減になる可能性を有している。
しかし、エンジンから出力される高圧高速の液体の運動によって生じるキャビテーションによる問題を避けるために、燃焼室の内側を比較的硬い材料で覆う必要があるかもしれないことに留意するべきである。
運動する液体に曝される燃焼室の壁は、例えば、セラミックライナーで保護してもよく、またはステンレス鋼、これと同等の材料で作成しても良い。
産業用樹脂を使用する場合には、燃焼ガスに曝される表面を粗くする、および／または小さな凹み、ギザギザ、ポケット等を設けることにより、水分が保持されるようにして、プラスチック材料を燃焼熱から保護するようにすることが好ましい。
表面の粗面処理は、例えば、図２８に示したものと同一または類似の形にしても良い。
【０１５９】
前述したように、図示する実施形態で動作するプロセスは、従来の内燃機関では無駄になっていた熱を利用するので、追加のパワー出力を提供する、および／または水素の形で追加の燃料を提供する。流出液を受けるシリンダおよびリザーバを、熱伝導率が低い、および／または周囲の大気への熱損失を最小限にするために断熱された材料で構成するようにしても良い。
特にリザーバは、収容する加圧ガスの温度を維持するために断熱されるべきである。
想定される選択肢のひとつが、シリンダおよび／またはリザーバに真空ジャケットを設けることである。真空を生み出す排気システムを有する実施形態では、真空ジャケットは、断熱ジャケットの圧力が排気システムの真空よりも高くなった場合に、一方向弁を開けて真空に戻すように、一方向弁を取り付けた管路によって真空が得られる排気システムの一部に接続することができる。
【０１６０】
いくつかの実施形態では、断熱ジャケットを排気システムに直接接続するよりも、真空リザーバに接続するのが好ましい。
【０１６１】
クランク軸やフライホイールなどの重い金属製のコンポーネントが存在しないことから可能となる重量の削減、および／または各燃焼サイクルの開始時点で比較的冷たい作動流体を導入することによって得られる冷却効果の結果としてエンジン構成を軽量化することを組み合わせると、同等のパワー出力を有する従来の往復ピストン内燃機関よりも大幅に軽量化された内燃機関を設計する可能性が与えられる。
そのような重量の削減は、エンジンをそのまま使用する場合には重要ではないが、エンジンが、車両や使用時にエンジンが移動する必要がある他の用途に使用される場合には、エネルギ効率の点において顕著な利点を与えることができる。
このような場合、エンジンの出力の一部が、エンジンの自重を加速および推進するのに必然的に使用されるので、重量削減はどのようなものでも有益である。
【０１６２】
精密な加工が必要となる可動部品から構成される複雑な機構が存在しないので、製造コストを低減できる。
自動車への適用においては、クラッチ、フライホイール、ギアボックス、または作動装置を備える必要がないので、コストおよび重量の観点から、さらなる節約が行われることになる。
【０１６３】
図示された実施形態では、第２流体質量は、水または少なくとも水を主成分として構成される。
第２流体質量が主に水からなる場合、ある環境では、エンジンを使用していないときに水が凍結することを防止するために添加剤を含む必要がある。
第１流体質量が第２流体質量に直接接触する実施形態では、燃料の一部は第２流体質量に吸収されるため、エタノールなどのアルコール系燃料を使用する場合、定期的な「不凍液補給」が必要になる。
熱プロセスの効率改善および／または腐食防止のために水に適当な添加剤を添加することが望ましい。第２流体質量が水で構成される場合、蒸留水を使用することが好ましい。
【０１６４】
いくつかの実施形態の場合、水以外の流体を用いて、第２流体質量、または作動流体を構成することが好ましい。
【０１６５】
ひとつ以上の点火プラグを着火装置として使用する実施形態を説明した。他の形態の着火装置を使用することも可能である。例えば、点火プラグの代わりに、予熱プラグまたは熱線を使用できる。別の態様として、燃焼が開始される燃焼室に、金属体、例えば金属メッシュを取り付けて、金属体をターゲットとしたマイクロ波発生源を設けるようにしても良い。
【０１６６】
特に圧縮点火機関の実施形態の場合、エンジンシリンダに、主シリンダ空間に連通すると共に燃料が噴射される関連チャンバ（図示せず）を設けることが好ましい。このようなチャンバは、第１流体質量と流入する燃料との混合を補助して燃焼プロセスの効率を改善するために、圧縮された第１流体質量に旋回流を生ずるように構成できる。
【０１６７】
圧力を監視する必要のある場所で圧力状態の変化を示すために、熱電対や光学温度などの温度センサを使用することは便利であるが、代わりに、シリンダ内の圧力を示す信号を提供できる圧力センサまたは他のセンサを使用することが可能である。そのようなセンサには、光ファイバセンサが含まれる。
【０１６８】
自動車両および他の形態の輸送機関への適用では、エンジンからの出力は、輸送装置の車輪等に動力を供給するひとつ以上の電気モータに電気を供給する発電機を動かすのに利用できることになる。
車輪で走る形態の輸送機関への適用では、被駆動車輪に接続された出力軸を回転させるために出力を利用する代わりに、被駆動車輪に、エンジンから出力される作動流体を受けるタービンのような構造を設けてもよい。
【０１６９】
実施形態の図は概略図であり、そのため内燃機関の正確な構造を表しているわけではない。一般に、付勢された第２流体がエンジンシリンダから流れてエンジンシリンダに戻る管路系統は、それが可能な限り、真っ直ぐなパイプランまたは緩やかな曲線によって形成して、流れに対する抵抗によって生じるエネルギ損失を最小限にすることが好ましい。
【０１７０】
説明を簡単にするために、図示する実施形態のエンジンシリンダが、圧力の読み取りが必要な場所の各々の圧力を示す信号を提供するためのひとつのセンサと、各バルブのうちのひとつを有するものとして説明をした。
望まれている性能レベルを提供する、および／または各バルブまたはセンサを故障から保護するために、複数の弁および／またはセンサを用いるようにしても良い。
そのため、例えば、ツイン吸気弁、および／またはツイン排気弁、または複数のセンサがあってもよい。
【０１７１】
図示する実施形態では、燃焼イベントのタイミングは、従来の往復ピストン内燃機関ほど厳しくないことは明らかである。例えば、燃料のオクタン価の変動によりプレイグニッションがある場合であっても、燃焼が起こるときのエンジンシリンダ内の急激な圧力上昇は、それでもなおも出力弁装置を開かせるので、通常の燃焼イベント後に起こるのと同様に、液体流出をシリンダから第１リザーバに吐き出させる。
このため、従来の往復ピストン内燃機関でプレイグニッションがある場合のエンジンコンポーネントへの潜在的なダメージおよびパワー損失が、阻止または少なくとも低減される。
このことから、図示するエンジンは、一般に使用されるガソリン系燃料のような品質が一貫性を示さない燃料の使用に特に適しており、例えば、再生可能資源から生成できるエタノールなどのアルコール系燃料の使用にエンジンは特に適している。
【０１７２】
図示された実施形態では、シリンダから出力される液体は、基本的に閉鎖回路であることで、再利用される。ただし、排気ガス中の水蒸気の蒸発、漏れおよび不完全な凝縮によるロスがある。そのため、補給を行える小型の水リザーバを設けても良い。補給を行うための様々な機構を設けても良い。例えば、始動時の第１リザーバのレベルを検出し、レベルが不十分であることが確認された場合に、リザーバから補給流を提供するようにしても良い。代わりに、リザーバ１１０からシリンダに直接かつ定期的に噴射することで、補給を行うようにしても良い。
【０１７３】
図示された実施形態では、燃料は、主に空気からなる第１流体質量に直接噴射される。
これは必須ではない。代わりに、燃料をシリンダの上流の空気の流れに計量して供給し、すでに空気が混合された燃料として、シリンダに送出するようにしても良い。
図示された実施形態の内燃機関に関連する様々な弁を、常閉型電磁作動弁として説明した。前記したひとつ以上の電磁作動弁の代わりに、他の形態の電気作動弁を使用しても良い。弁は、油圧や空気圧で作動するようにしても良い。
【０１７４】
図示された実施形態では、エンジンシリンダからの出力弁装置は、それに作用する圧力バランスに応答する一方向弁を備えて構成される。これは必須ではない。代わりに、例えば、電磁弁などの電気作動弁を使用するようにしても良い。
燃焼イベント後のシリンダ内の圧力上昇は大きく、例えば図１に図示したセンサ４４などの温度センサで容易に検出できるので、電磁弁を開いて付勢流体をリザーバに放出させる信号を送出できるようになる。
燃焼イベントが点火プラグなどの着火装置の動作によって引き起こされる内燃機関では、電気作動式出力弁の開放は、着火装置の起動から決めることができる。
【０１７５】
図示された実施形態で動作するプロセスの多くは、各エンジンの一部で検知される温度／圧力に応答して開始されると記載した。
これは、周囲の動作条件の変動および／または可変負荷にも拘わらず、エンジンを効率的に機能させる必要があるときには好ましい。ただし、制御イベントの多くは、設定された時間間隔で開始されるようにしても良い。時間間隔に基づく制御手順は、おそらくより単純で、定置型エンジン（建物に収容できる）、および／または負荷の著しい変化を受けない、または少なくとも動的に変動する負荷を受けないエンジンに適用できる。
【０１７６】
図示された実施形態の説明では、エンジンのプロセス制御は、感度電流信号および読取値に基づくと説明している。
種々の制御手法を使用できる。例えば、プロセスのうちのひとつ以上の制御を、ひとつ以上の過去の信号および読取値、およびこれらの信号および読取値の処理により生成されるデータに基づいて行うようにしても良い。
【０１７７】
実施形態で図示したシリンダから出力される流体のために螺旋状の流路を設けることは必須でない。
内燃機関のシリンダは、出力される流体が単純に燃焼ガスの膨張によって排出口に真っ直ぐ吐き出されるように空容積でもよい。
【０１７８】
いくつかの実施形態では、燃焼ガスと作動流体（液体）との間に自由に浮動する分離部材を配置させることが好ましい。
適した材料で形成されると共に作用する圧力変化に応じてシリンダ内で自由に往復運動するそのような分離部材は、シリンダの略全幅に亘って、燃焼ガスから液体へのエネルギの均一な伝達を補助することになる。
そのような分離部材は、さらに燃料および／または第１流体質量の燃焼生成物による液体の汚染を制限できる。
実際、液体によってシーリングが施されるので、分離部材は完全に自由に動くことができ、分離部材とシリンダの壁の間にシーリングを設ける必要はない。
【０１７９】
エンジンの製造者は、事前に作動流体（液体）を満たしたエンジンを供給してもよく、車両の製造者、または車両以外に適用する場合には内燃機関を搭載した装置の製造者、またはエンジンもしくはエンジンが搭載された装置の販売者、またはエンドユーザが、後で作動流体を追加するようにしても良い。
【０１８０】
内燃機関１０の変型例は、図１４および図１５に図示されており、内燃機関７１０の変型例は、図２３から図２７を参照して説明している。
内燃機関１０の変型例の一部または全部を内燃機関７１０に適用してもよく、同様に、内燃機関７１０の変型例の一部または全部を内燃機関１０に適用してもよい。
【０１８１】
図面に示された流体の状態および割合は、例示する目的でしかなく、稼動中のエンジンで適用されるものを必ずしも反映しているわけではない。
図面に図示する内燃機関の向き、および説明で使用する「上」および「下」という表現は例として、また理解しやすくするためにそのように記載して、限定して解釈するべきでない。
例えば、図１および図１７で示されているように、燃焼室は、非垂直な向き、さらには水平の向きにも配置することができる。
これは、互いに連通している二つの別個の領域を有する燃焼室を構成し、空気燃料混合物が付勢される流体によって汚染されることなく燃焼でき、燃焼により発生する圧力波が付勢される流体に作用して流体を付勢できるようにすることで達成できる。
【０１８２】
図示された実施形態の内燃機関は自動車両で使用される場合を説明したが、エンジンはこの用途に限定されるものではない。内燃機関は、例えば、モーターボート、発電機セット、携帯型の機械（例えば、コンプレッサ）、芝刈り機および工具にも使用できる。
【図１】
0005572792.tif 000002
【図２】
0005572792.tif 000003
【図３】
0005572792.tif 000004
【図４】
0005572792.tif 000005
【図５】
0005572792.tif 000006
【図６】
0005572792.tif 000007
【図７】
0005572792.tif 000008
【図８】
0005572792.tif 000009
【図９】
0005572792.tif 000010
【図１０】
0005572792.tif 000011
【図１１】
0005572792.tif 000012
【図１２】
0005572792.tif 000013
【図１３】
0005572792.tif 000014
【図１４】
0005572792.tif 000015
【図１５】
0005572792.tif 000016
【図１６】
0005572792.tif 000017
【図１７】
0005572792.tif 000018
【図１８】
0005572792.tif 000019
【図１９】
0005572792.tif 000020
【図２０】
0005572792.tif 000021
【図２１】
0005572792.tif 000022
【図２２】
0005572792.tif 000023
【図２３】
0005572792.tif 000024
【図２４】
0005572792.tif 000025
【図２５】
0005572792.tif 000026
【図２６】
0005572792.tif 000027
【図２７】
0005572792.tif 000028
【図２８】
0005572792.tif 000029
【図２９】
0005572792.tif 000030
【図３０】
0005572792.tif 000031